(57)【特許請求の範囲】
【請求項１】
ユーザ機器（ＵＥ）におけるワイヤレス通信の方法であって、
キャリア中の１つまたは複数の同期信号を受信することと、
前記キャリアの複信構成を決定することと、ここにおいて、前記複信構成は、前記１つまたは複数の同期信号に基づいて決定され、時分割複信（ＴＤＤ）または周波数分割複信（ＦＤＤ）を備える、
前記キャリア上でマスタ情報ブロック（ＭＩＢ）を受信することと、ここにおいて、前記ＭＩＢは、前記複信構成に基づいて、少なくとも１つのフィールドを有して構成される、
前記キャリアの前記複信構成に基づいて、前記ＭＩＢの前記少なくとも１つのフィールドを解釈することと
を備える方法。
【請求項２】
前記ＭＩＢの前記少なくとも１つのフィールドは、スペシャルサブフレーム構成を備える、請求項１に記載の方法。
【請求項３】
前記ＭＩＢの前記少なくとも１つのフィールドは、システム情報ブロック（ＳＩＢ）ロケーションフィールドを示すインジケーションまたは前記ＳＩＢロケーションフィールドの反復の数を示すインジケーションのうちの１つを備える、請求項１に記載の方法。
【請求項４】
前記ＳＩＢロケーションフィールドは、ＳＩＢ１についての１つまたは複数のダウンリンク（ＤＬ）サブフレームオプションを示す、請求項３に記載の方法。
【請求項５】
前記キャリアのＴＤＤ構成に基づいて、スペシャルサブフレーム構成を仮定すること、ここにおいて、前記ＭＩＢは、前記仮定したスペシャルサブフレーム構成にしたがって受信される、
をさらに備える、請求項１に記載の方法。
【請求項６】
前記仮定したスペシャルサブフレーム構成は、１１シンボルのダウンリンクパイロットタイムスロット（ＤｗＰＴＳ）、９シンボルのＤｗＰＴＳ、１シンボルのガード期間、２シンボルのアップリンクパイロットタイムスロット（ＵｐＰＴＳ）、またはそれらの任意の組み合わせを備える、
請求項５に記載の方法。
【請求項７】
前記受信したＭＩＢに基づいて、前記仮定したスペシャルサブフレーム構成を更新すること
をさらに備える、請求項５に記載の方法。
【請求項８】
基地局におけるワイヤレス通信の方法であって、
キャリアの複信構成を識別することと、ここにおいて、前記複信構成は、時分割複信（ＴＤＤ）または周波数分割複信（ＦＤＤ）を備える、
前記複信構成に基づいて１つまたは複数の同期信号を送信することと、
前記複信構成に基づいて、少なくとも１つのフィールドを有するＭＩＢを構成することと、
前記キャリア上で前記ＭＩＢをブロードキャストすることと
を備える方法。
【請求項９】
ワイヤレス通信のためのユーザ機器（ＵＥ）装置であって、
キャリア中の１つまたは複数の同期信号を受信するための手段と、
前記キャリアの複信構成を決定するための手段と、ここにおいて、前記複信構成は、前記１つまたは複数の同期信号に基づいて決定され、時分割複信（ＴＤＤ）または周波数分割複信（ＦＤＤ）を備える、
前記キャリア上でマスタ情報ブロック（ＭＩＢ）を受信するための手段と、
前記キャリアの前記複信構成に基づいて、前記ＭＩＢの少なくとも１つのフィールドを解釈するための手段と
を備えるＵＥ装置。
【請求項１０】
処理手段およびメモリを備え、前記ＵＥ装置は、請求項１〜７のいずれか一項に記載の方法を実行するのに適合している、請求項９に記載のＵＥ装置。
【請求項１１】
ワイヤレス通信のための基地局装置であって、
キャリアの複信構成を識別するための手段と、ここにおいて、前記複信構成は、時分割複信（ＴＤＤ）または周波数分割複信（ＦＤＤ）を備える、
前記複信構成に基づいて１つまたは複数の同期信号を送信するための手段と、
前記複信構成に基づいて、少なくとも１つのフィールドを有するＭＩＢを構成するための手段と、
前記キャリア上で前記ＭＩＢをブロードキャストするための手段と
を備える基地局装置。
【請求項１２】
コンピューティングデバイスの処理手段上で実行されると、請求項１〜７または８のいずれか一項に記載の方法を行うための命令を備えるコンピュータプログラム。
【発明の詳細な説明】
【相互参照】
【０００１】
[0001]本願は、２０１６年４月２０日に出願された、Ｃｈｅｎ、等による「System Type Dependent Master Information Block (MIB)」と題する米国特許出願第１５／１３３，７７６号および２０１５年４月２２日に出願された、Ｃｈｅｎ、等による「System Type Dependent Master Information Block (MIB)」と題する米国特許仮出願第６２／１５１，３７９号に対する優先権を主張し、それらの各々が、それらの譲受人に譲渡される。
【背景技術】
【０００２】
[0002]下記は一般に、ワイヤレス通信に関し、より具体的には、システムタイプ依存型マスタ情報ブロック（ＭＩＢ）に関する。
【０００３】
[0003]ワイヤレス通信システムは、音声、ビデオ、パケットデータ、メッセージング、ブロードキャスト、等、様々なタイプの通信コンテンツを提供するために広く展開されている。これらのシステムは、利用可能なシステムリソース（たとえば、時間、周波数、および電力）を共有することで、複数のユーザとの通信をサポートすることが可能であり得る。そのような多元接続システムの例には、符号分割多元接続（ＣＤＭＡ）システム、時分割多元接続（ＴＤＭＡ）システム、周波数分割多元接続（ＦＤＭＡ）システム、および直交周波数分割多元接続（ＯＦＤＭＡ）システム（たとえば、ロングタームエボリューション（ＬＴＥ（登録商標））システム）が含まれる。ワイヤレス多元接続通信システムは、各々が複数の通信デバイスのための通信を同時にサポートする多数の基地局を含み得、これは、別名ユーザ機器（ＵＥ）として知られているであろう。
【０００４】
[0004]いくつかのケースでは、ＵＥが低コストまたは低複雑性のデバイスである場合など、基地局は、専用のシステム情報メッセージにおいてシステム情報を送信し得る。このメッセージは、制御チャネルメッセージでの送信に使用されるリソースを特定することなく、共有チャネルで送信され得る。しかしながら、制御チャネルなしでは、ＵＥは、システム情報メッセージに使用されるリソースを位置決めするのが困難であり得る。
【発明の概要】
【０００５】
[0005]ユーザ機器（ＵＥ）は、１つまたは複数の同期信号に基づいて、キャリアの複信構成（duplexing configuration）（たとえば、周波数分割複信（ＦＤＤ）または時分割複信（ＴＤＤ））を決定し得る。次に、ＵＥは、キャリア上でマスタ情報ブロック（ＭＩＢ）を受信し得、キャリアの複信構成に基づいて、ＭＩＢの１つまたは複数のフィールドを解釈し得る。構成依存型フィールドは、スペシャルサブフレームフィールド、システム情報ロケーションフィールド、または両方を含み得る。いくつかのケースでは、たとえば、ＴＤＤ構成では、ＵＥは、ＭＩＢを受信するために、キャリアのスペシャルサブフレーム構成を仮定し、ＭＩＢを受信した後に、仮定したスペシャルサブフレーム構成を更新し得る。
【０００６】
[0006]ワイヤレス通信の方法が説明される。方法は、キャリアの複信構成を決定することと、キャリア上でＭＩＢを受信することと、キャリアの複信構成に少なくとも部分的に基づいて、ＭＩＢの少なくとも１つのフィールドを解釈することとを含み得る。
【０００７】
[0007]ワイヤレス通信のための装置が説明される。装置は、キャリアの複信構成を決定するための手段と、キャリア上でＭＩＢを受信するための手段と、キャリアの複信構成に少なくとも部分的に基づいて、ＭＩＢの少なくとも１つのフィールドを解釈するための手段とを含み得る。
【０００８】
[0008]ワイヤレス通信のためのさらなる装置が説明される。装置は、プロセッサと、このプロセッサと電子通信状態にあるメモリと、このメモリに記憶されている命令とを含み得、命令は、プロセッサによって実行されると、キャリアの複信構成を決定することと、キャリア上でＭＩＢを受信することと、キャリアの複信構成に少なくとも部分的に基づいて、ＭＩＢの少なくとも１つのフィールドを解釈することとを装置に行わせるように動作可能である。
【０００９】
[0009]ワイヤレス通信のためのコードを記憶する非一時的なコンピュータ読取可能な媒体が説明される。コードは、キャリアの複信構成を決定することと、キャリア上でＭＩＢを受信することと、キャリアの複信構成に少なくとも部分的に基づいて、ＭＩＢの少なくとも１つのフィールドを解釈することとを行うように実行可能な命令を含み得る。
【００１０】
[0010]本明細書で説明される方法、装置、または非一時的なコンピュータ読取可能な媒体のいくつかの例では、複信構成は、時分割複信（ＴＤＤ）構成または周波数分割複信（ＦＤＤ）構成を備える。追加的または代替的に、いくつかの例では、ＭＩＢの少なくとも１つのフィールドは、スペシャルサブフレーム構成を備える。
【００１１】
[0011]本明細書で説明される方法、装置、または非一時的なコンピュータ読取可能な媒体のいくつかの例では、スペシャルサブフレーム構成は、低減されたダウンリンクパイロットタイムスロット（ＤｗＰＴＳ）セットを備える。追加的または代替的に、いくつかの例では、ＭＩＢの少なくとも１つのフィールドは、システム情報ブロック（ＳＩＢ）ロケーションフィールドを備える。追加的または代替的に、いくつかの例では、ＭＩＢの少なくとも１つのフィールドは、ＳＩＢロケーションフィールドの反復の数を備える。
【００１２】
[0012]本明細書で説明される方法、装置、または非一時的なコンピュータ読取可能な媒体のいくつかの例では、ＳＩＢロケーションフィールドは、ＳＩＢ１についての１つまたは複数のダウンリンク（ＤＬ）サブフレームオプションを示す。追加的または代替的に、いくつかの例は、キャリアのＴＤＤ構成に少なくとも部分的に基づいて、スペシャルサブフレーム構成を仮定するためのプロセス、特徴、手段、または命令を含み得、ここにおいて、ＭＩＢは、仮定したスペシャルサブフレーム構成にしたがって受信される。
【００１３】
[0013]本明細書で説明される方法、装置、または非一時的なコンピュータ読取可能な媒体のいくつかの例では、仮定したスペシャルサブフレーム構成は、１１シンボルのダウンリンクパイロットタイムスロット（ＤｗＰＴＳ）、９シンボルのＤｗＰＴＳ、１シンボルのガード期間、２シンボルのアップリンクパイロットタイムスロット（ＵｐＰＴＳ）、またはそれらの任意の組み合わせを備える。追加的または代替的に、いくつかの例は、受信したＭＩＢに少なくとも部分的に基づいて、仮定したスペシャルサブフレーム構成を更新するためのプロセス、特徴、手段、または命令を含み得る。
【００１４】
[0014]本明細書で説明される方法、装置、または非一時的なコンピュータ読取可能な媒体のいくつかの例は、１つまたは複数の同期信号を受信するためのプロセス、特徴、手段、または命令をさらに含み得、ここにおいて、複信構成は、１つまたは複数の同期信号に少なくとも部分的に基づいて決定される。
【００１５】
[0015]ワイヤレス通信の方法が説明される。方法は、キャリアの複信構成を識別することと、複信構成に少なくとも部分的に基づいて、少なくとも１つのフィールドを有するＭＩＢを構成することと、キャリア上でＭＩＢをブロードキャストすることとを含み得る。
【００１６】
[0016]ワイヤレス通信のための装置が説明される。装置は、キャリアの複信構成を識別するための手段と、複信構成に少なくとも部分的に基づいて、少なくとも１つのフィールドを有するＭＩＢを構成するための手段と、キャリア上でＭＩＢをブロードキャストするための手段とを含み得る。
【００１７】
[0017]ワイヤレス通信のためのさらなる装置が説明される。装置は、プロセッサと、このプロセッサと電子通信状態にあるメモリと、このメモリに記憶されている命令とを含み得、命令は、プロセッサによって実行されると、キャリアの複信構成を識別することと、複信構成に少なくとも部分的に基づいて、少なくとも１つのフィールドを有するＭＩＢを構成することと、キャリア上でＭＩＢをブロードキャストすることとを装置に行わせるように動作可能である。
【００１８】
[0018]ワイヤレス通信のためのコードを記憶する非一時的なコンピュータ読取可能な媒体が説明される。コードは、キャリアの複信構成を識別することと、複信構成に少なくとも部分的に基づいて、少なくとも１つのフィールドを有するＭＩＢを構成することと、キャリア上でＭＩＢをブロードキャストすることとを行うように実行可能な命令を含み得る。
【００１９】
[0019]本明細書で説明される方法、装置、または非一時的なコンピュータ読取可能な媒体のいくつかの例は、複信構成に少なくとも部分的に基づいて、１つまたは複数の同期信号を送信するためのプロセス、特徴、手段、または命令をさらに含み得る。追加的または代替的に、いくつかの例では、複信構成は、ＴＤＤ構成またはＦＤＤ構成を備える。
【００２０】
[0020]本明細書で説明される方法、装置、または非一時的なコンピュータ読取可能な媒体のいくつかの例では、ＭＩＢの少なくとも１つのフィールドは、スペシャルサブフレーム構成を備える。追加的または代替的に、いくつかの例では、ＭＩＢの少なくとも１つのフィールドは、システム情報ブロック（ＳＩＢ）ロケーションフィールドを備える。追加的または代替的に、いくつかの例では、ＭＩＢの少なくとも１つのフィールドは、ＳＩＢロケーションフィールドの反復の数を備える。
【００２１】
[0021]本開示の態様は、以下の図に関連して説明される。
【図面の簡単な説明】
【００２２】
【図１】[0022]図１は、本開示の様々な態様に係る、システムタイプ依存型マスタ情報ブロック（ＭＩＢ）動作をサポートするワイヤレス通信システムの例を例示する。
【図２】[0023]図２は、本開示の様々な態様に係る、システムタイプ依存型ＭＩＢ動作をサポートするワイヤレス通信サブシステムの例を例示する。
【図３】[0024]図３は、本開示の様々な態様に係る、システムタイプ依存型ＭＩＢ動作をサポートするプロセスフローの例を例示する。
【図４】[0025]図４は、本開示の様々な態様に係る、システムタイプ依存型ＭＩＢ動作をサポートする１つまたは複数のワイヤレスデバイスのブロック図を示す。
【図５】図５は、本開示の様々な態様に係る、システムタイプ依存型ＭＩＢ動作をサポートする１つまたは複数のワイヤレスデバイスのブロック図を示す。
【図６】図６は、本開示の様々な態様に係る、システムタイプ依存型ＭＩＢ動作をサポートする１つまたは複数のワイヤレスデバイスのブロック図を示す。
【図７】[0026]図７は、本開示の様々な態様に係る、システムタイプ依存型ＭＩＢ動作をサポートするユーザ機器（ＵＥ）を含むシステムのブロック図を例示する。
【図８】[0027]図８は、本開示の様々な態様に係る、システムタイプ依存型ＭＩＢ動作をサポートする１つまたは複数のワイヤレスデバイスのブロック図を示す。
【図９】図９は、本開示の様々な態様に係る、システムタイプ依存型ＭＩＢ動作をサポートする１つまたは複数のワイヤレスデバイスのブロック図を示す。
【図１０】図１０は、本開示の様々な態様に係る、システムタイプ依存型ＭＩＢ動作をサポートする１つまたは複数のワイヤレスデバイスのブロック図を示す。
【図１１】[0028]図１１は、本開示の様々な態様に係る、システムタイプ依存型ＭＩＢ動作をサポートする基地局を含むシステムのブロック図を例示する。
【図１２】[0029]図１２は、本開示の様々な態様に係る、システムタイプ依存型ＭＩＢ動作の方法を例示する。
【図１３】図１３は、本開示の様々な態様に係る、システムタイプ依存型ＭＩＢ動作の方法を例示する。
【図１４】図１４は、本開示の様々な態様に係る、システムタイプ依存型ＭＩＢ動作の方法を例示する。
【図１５】図１５は、本開示の様々な態様に係る、システムタイプ依存型ＭＩＢ動作の方法を例示する。
【発明の詳細な説明】
【００２３】
[0030]異なる通信タイプまたはユーザ機器（ＵＥ）は、ＵＥ能力に基づいて分類され得る。ＵＥの特定のカテゴリは、システムまたはキャリアタイプに依存して異なる情報を含み得る、異なるシステム情報ブロック（ＳＩＢ）およびＭＩＢで動作し、それらを利用することから利益を享受し得る。たとえば、マシンタイプ通信（ＭＴＣ）は、カテゴリ０に分類され得る。異なるカテゴリは、異なるチャネル構成に関連付けられ得る。たとえば、低コストで、低複雑性で、かつＭＴＣのデバイスは、専用のシステム情報メッセージおよびカバレッジ強化技法に関連付けられ得、システム依存型ＭＩＢから利益を享受し得る。
【００２４】
[0031]ＭＴＣ動作を容易にするために、ＭＩＢからのビットは、ＭＴＣ目的で再利用され得る。また、ＭＩＢは、複信構成に基づいて、構成および解釈され得る。時分割複信（ＴＤＤ）システムにおいてＰＢＣＨ反復のためのサブフレームを決定するとき、多数のファクタが考慮され得る。たとえば、ＰＢＣＨ反復は、ＳＩＢ１の送信と同じサブフレーム中での送信を回避し得る。いくつかのケースでは、スペシャルサブフレームを含むＤＬサブフレームがセルにおいていくつ利用可能であるかが、ＰＢＣＨ反復のためのサブフレームを決定する際のファクタであり得る。別のファクタは、どのＤＬサブフレームが拡張マルチメディアブロードキャストマルチキャストサービス（ｅＭＢＭＳ）サブフレームのために構成され、どのＤＬサブフレームが測位基準信号（ＰＲＳ）サブフレームのために構成され、どのＤＬサブフレームが他のサブフレームのために構成されるかである。ＰＤＳＣＨは、ＤＬサブフレームの構成次第では送信されないであろう。これらの技法は、ＭＴＣ ＵＥに関して記述されるが、それらが非ＭＴＣ ＵＥのような他のＵＥに対して使用され得ることは留意されるべきである。
【００２５】
[0032]周波数分割複信（ＦＤＤ）システムでは、ＰＢＣＨ反復のためのサブフレームを決定することは、ＳＩＢ１のロケーションまたは異なるＤＬサブフレームの構成（たとえば、どのフレームがｅＭＢＭＳサブフレームのために構成され、どのフレームが測位基準信号（ＰＲＳ）サブフレームのために構成され、どのフレームがその他のために構成されるか）に基づき得る。異なるＤＬサブフレームの構成次第では、ＰＤＳＣＨは、送信されないだろう。
【００２６】
[0033]時々、ＭＴＣについてのＳＩＢ１は、制御チャネルなしで送信され得る。これは、時間または周波数ロケーション、ＳＩＢ１のＴＢＳ、またはＳＩＢ１のＭＣＳが、固定値または既定の値あるいはＭＩＢに定められている値を有することが適切であることを意味し得る。さらに、ＭＢＳＦＮ構成、ＴＤＤ構成、等のサブフレームの構成に関して、厄介な問題が生じ得る。たとえば、ＳＩＢ１のロケーションの知識は、ＳＩＢ１を復号するために必要とされ得、ＳＩＢ１は、サブフレーム構成を決定するために復号される必要があり得る。しかしながら、サブフレーム構成は、ＳＩＢ１のロケーションを決定する際に有益であり得る。
【００２７】
[0034]ＴＤＤキャリアの場合、スペシャルサブフレーム構成が、セルカバレッジに対処するために選択される必要があり得る。たとえば、大きなガード期間と、それゆえにより小さいダウンリンクパイロットタイムスロット（ＤｗＰＴＳ）とが、大きな伝播遅延による、大きなセルエリアに対処するために用いられ得る。すなわち、大きなガード期間が、他のセルのＤＬ送信からの干渉を最小化するのに必要とされ得る。いくつかのケースでは、ＵＥは、ＭＩＢを復号する前、ＤｗＰＴＳ構成を知らないだろう。追加的に、特定のファクタは、ＵＥがＭＩＢを復号し得るかどうかまたはいつ復号し得るかに関連し得る。
【００２８】
[0035]ゆえに、ＵＥは、ＵＥがＰＢＣＨを復号し始めるときまでに、１つまたは複数の同期信号を介して、システムタイプ（たとえば、複信構成）を識別し得る。ＦＤＤシステムおよびＴＤＤシステムが異なるニーズを有し得るため、ＰＢＣＨで搬送される情報は、異なり得る（たとえば、ＦＤＤシステムまたはＴＤＤシステム用に設計され得る）。結果として、ＭＩＢは、ＴＤＤおよびＦＤＤの両方に共通のいくつかの情報フィールド（たとえば、インジケーションＳＩＢ１周波数ロケーション、時間ロケーション、またはＴＢＳへの情報エントリ）を含み得、ＭＩＢは、ＦＤＤまたはＴＤＤキャリアに固有の（または、それらについての解釈が異なる）いくつかのフィールドを含み得る。ＰＳＳ／ＳＳＳを使用して、キャリアがＦＤＤであるかＴＤＤであるかをＵＥが検出した後、かつ、それがＰＢＣＨを復号した後、ＵＥは、キャリア（または、システム）がＦＤＤシステムであるかＴＤＤシステムであるかに基づいて、ＰＢＣＨコンテンツを解釈し得る。
【００２９】
[0036]本開示の態様は、最初は、ワイヤレス通信システムのコンテキストにおいて以下で説明される。本開示の態様はさらに、システムタイプ依存型マスタ情報ブロック（ＭＩＢ）に関する装置図、システム図、およびフローチャートによって例示され、それらに関連して説明される。
【００３０】
[0037]図１は、本開示の様々な態様に係る、ワイヤレス通信システム１００の例を例示する。ワイヤレス通信システム１００は、基地局１０５と、ユーザ機器（ＵＥ）１１５と、コアネットワーク１３０とを含む。いくつかの例では、ワイヤレス通信システム１００は、ロングタームエボリューション（ＬＴＥ）／ＬＴＥアドバンスト（ＬＴＥ−ａ）ネットワークであり得る。
【００３１】
[0038]基地局１０５は、１つまたは複数の基地局アンテナを介してＵＥ１１５とワイヤレスに通信し得る。各基地局１０５は、それぞれの地理的カバレッジエリア１１０に通信カバレッジを提供し得る。ワイヤレス通信システム１００中に示されている通信リンク１２５は、ＵＥ１１５から基地局１０５へのアップリンク（ＵＬ）送信または基地局１０５からＵＥ１１５へのダウンリンク（ＤＬ）送信を含み得る。ＵＥ１１５は、ワイヤレス通信システム１００中に散在し得、各ＵＥ１１５は、据置き式または移動式であり得る。ＵＥ１１５は、モバイル局、加入者局、リモートユニット、ワイヤレスデバイス、アクセス端末、ハンドセット、ユーザエージェント、クライアント、または何らかの他の好適な用語でも呼ばれ得る。ＵＥ１１５は、セルラ電話、ワイヤレスモデム、ハンドヘルドデバイス、パーソナルコンピュータ、タブレット、パーソナル電子デバイス、マシンタイプ通信（ＭＴＣ）デバイス、または同様のものでもあり得る。
【００３２】
[0039]ワイヤレスデバイスのいくつかのタイプは、自動通信を提供し得る。自動ワイヤレスデバイスは、マシンツーマシン（Ｍ２Ｍ）通信またはマシンタイプ通信（ＭＴＣ）を実施するものを含み得る。Ｍ２ＭまたはＭＴＣは、デバイスが、人間の介在なしに互いにまたは基地局と通信することを可能にするデータ通信技術を指し得る。たとえば、Ｍ２ＭまたはＭＴＣは、情報を測定または獲得するためのセンサまたはメータを統合し、プログラムまたはアプリケーションとインタラクトする人間にその情報を提示するまたはその情報を使用することができるアプリケーションプログラムまたは中央サーバにその情報を中継するデバイスからの通信を指し得る。いくつかのＵＥ１１５は、情報を収集するようにまたはマシンの自動化動作（automated behavior）を可能にするように設計されたもののようなＭＴＣデバイスであり得る。ＭＴＣデバイスのためのアプリケーションの例には、スマート計測、在庫（inventory）モニタリング、水位モニタリング、機器モニタリング、ヘルスケアモニタリング、野生生物モニタリング、天候および地質学的イベントモニタリング、フリート管理およびトラッキング、リモートセキュリティ感知、物理的アクセス制御、およびトランザクションベースのビジネス課金（transaction-based business charging）が含まれる。ＭＴＣデバイスは、低減されたピークレートでの半二重（一方向）通信を使用して動作し得る。ＭＴＣデバイスはまた、アクティブな通信に従事していないとき、省電力の「ディープスリープ」モードに入るように構成され得る。
【００３３】
[0040]基地局１０５は、コアネットワーク１３０とおよび互いに通信し得る。たとえば、基地局１０５は、バックホールリンク（backhaul links）１３２（たとえば、Ｓ１、等）を通してコアネットワーク１３０とインターフェース接続し得る。基地局１０５は、直接的にまたは間接的に（たとえば、コアネットワーク１３０を介して）のいずれかで、バックホールリンク１３４（たとえば、Ｘ２、等）上で互いに通信し得る。基地局１０５は、ＵＥ１１５との通信のために無線構成およびスケジューリングを実行し得るか、基地局コントローラ（図示されない）の制御下で動作し得る。いくつかの例では、基地局１０５は、マクロセル、スモールセル、ホットスポット、または同様のものであり得る。基地局１０５は、ｅノードＢ（ｅＮＢ）１０５とも呼ばれ得る。
【００３４】
[0041]基地局１０５およびＵＥ２ １１５は、（たとえば、対にされたスペクトルリソースを使用する）周波数分割複信（ＦＤＤ）または（たとえば、対にされていないスペクトルリソースを使用する）時分割複信（ＴＤＤ）動作に基づく双方向通信を使用して通信し得る。ＦＤＤのためのフレーム構造（たとえば、フレーム構造タイプ１）およびＴＤＤのためのフレーム構造（たとえば、フレーム構造タイプ２）が定義され得る。ＴＤＤフレーム構造では、各サブフレームは、ＵＬトラフィックまたはＤＬトラフィックを搬送し得、スペシャルサブフレームは、ＤＬ送信とＵＬ送信とを切り替えるために使用され得る。無線フレーム内のＵＬサブフレームおよびＤＬサブフレームの割振りは、対称的または非対称的であり得、静的に決定され得るか半静的に再構成され得る。スペシャルサブフレームは、ＤＬトラフィックまたはＵＬトラフィックを搬送し得、ＤＬトラフィックとＵＬトラフィックとの間にガード期間（ＧＰ）を含み得る。ＵＬトラフィックからＤＬトラフィックへの切替えは、スペシャルサブフレームまたはガード期間の使用なしに、ＵＥ１１５においてタイミングアドバンスを設定することで達成され得る。
【００３５】
[0042]フレーム期間（たとえば、１０ｍｓ）またはフレーム期間の半分（たとえば、５ｍｓ）に等しい切替えポイント周期性（switch-point periodicity）を有するＵＬ−ＤＬ構成もまたサポートされ得る。たとえば、ＴＤＤフレームは、１つまたは複数のスペシャルフレームを含み得、スペシャルフレーム間の期間は、そのフレームに関するＴＤＤのＤＬからＵＬへの切替えポイント周期性を決定し得る。いくつかのケースでは、スペシャルサブフレームの特定のシンボルは、ダウンリンク使用のために指定され得るものと（ダウンリンクパイロットタイムスロット（ＤｗＰＴＳ）と称される）、アップリンク使用のために指定され得るもの（アップリンクパイロットタイムスロット（ＵｐＰＴＳ）とがあり、それらは、ガードシンボルによって分離されている。ＴＤＤの使用は、対にされたＵＬ−ＤＬスペクトルリソースの必要のない柔軟な展開を提供する。いくつかのＴＤＤネットワーク展開では、干渉がＵＬ通信とＤＬ通信との間で引き起こされ得る（たとえば、異なる基地局からのＵＬ通信とＤＬ通信との間の干渉、基地局およびＵＥからのＵＬ通信とＤＬ通信との間の干渉、等）。たとえば、異なる基地局１０５が、異なるＴＤＤ ＵＬ−ＤＬ構成にしたがって、重複カバレッジエリア内の異なるＵＥ１１５にサービス提供する場合、サービング基地局１０５からのＤＬ送信を受信および復号しようと試みるＵＥ１１５は、近くに位置している他のＵＥ１１５からのＵＬ送信から干渉を経験し得る。
【００３６】
[0043]ワイヤレスネットワークにアクセスしようと試みるＵＥ１１５は、基地局１０５からのプライマリ同期信号（ＰＳＳ）を検出することで初期セル探索を実行し得る。ＰＳＳは、スロットタイミングの同期化を可能にし得、物理レイヤアイデンティティ値を示し得る。次に、ＵＥ１１５は、セカンダリ同期信号（ＳＳＳ）を受信し得る。ＳＳＳは、無線フレーム同期化を可能にし得、セルアイデンティティ値を提供し得、これは、セルを識別するために、物理レイヤアイデンティティ値と組み合わせられ得る。ＳＳＳはまた、複信モードおよびサイクリックプレフィクス長の検出を可能にし得る。時分割複信（ＴＤＤ）システムのようないくつかのシステムは、ＳＳＳは送信し得るがＰＳＳは送信しないだろう。ＰＳＳおよびＳＳＳの両方は、それぞれ、キャリアの中央の６２個および７２個のサブキャリアに位置し得る。ＰＳＳおよびＳＳＳを受信した後、ＵＥ１１５は、ＭＩＢを受信し得、これは、物理ブロードキャストチャネル（ＰＢＣＨ）で送信され得る。ＭＩＢは、システム帯域幅情報、システムフレーム番号（ＳＦＮ）、および物理ＨＡＲＱインジケータチャネル（ＰＨＩＣＨ）構成を含み得る。ＭＩＢを復号した後、ＵＥ１１５は、１つまたは複数のシステム情報ブロック（ＳＩＢ）を受信し得る。たとえば、ＳＩＢ１は、他のＳＩＢについてのセルアクセスパラメータおよびスケジューリング情報を含み得る。ＳＩＢ１を復号することは、ＵＥ１１５がＳＩＢ２を受信することを可能にし得る。ＳＩＢ２は、ランダムアクセスチャネル（ＲＡＣＨ）プロシージャ、ページング、物理アップリンク制御チャネル（ＰＵＣＣＨ）、物理アップリンク共有チャネル（ＰＵＳＣＨ）、電力制御、ＳＲＳ、セルバーリングに関する無線リソース制御（ＲＲＣ）構成情報を含み得る。
【００３７】
[0044]初期セル同期化を完了した後、ＵＥ１１５は、ネットワークにアクセスするよりも先に、ＭＩＢ、ＳＩＢ１、およびＳＩＢ２を復号し得る。ＭＩＢは、ＰＢＣＨ上で送信され得、各無線フレームの第１のサブフレームの第２のスロットの最初の４つの直交周波数分割多元接続（ＯＦＤＭＡ）シンボルを利用し得る。それは、周波数ドメインにおいて、中間の６つのリソースブロック（ＲＢ）（７２個のサブキャリア）を使用し得る。ＭＩＢは、ＲＢの観点からのダウンリンク（ＤＬ）チャネル帯域幅、ＰＨＩＣＨ構成（持続時間およびリソース割当て）、ＳＦＮを含む、ＵＥ初期アクセスのための情報の少数の重要な部分を搬送する。新しいＭＩＢは、第４の無線フレームごと（ＳＦＮｍｏｄ４＝０）にブロードキャストされ、１フレームごとに（１０ｍｓ）再ブロードキャストされ得る。各反復は、異なるスクランブリングコードでスクランブルされる。本開示の態様によれば、ＭＩＢの特定のフィールドは、複信構成に基づいて、基地局１０５によって構成され得、ＵＥ１１５によって解釈され得る。たとえば、ＴＤＤ ＭＩＢは、スペシャルサブフレーム構成またはＳＩＢ１ロケーションを示すフィールドを含み得る。
【００３８】
[0045]ＭＩＢ（新しいバージョンまたはコピー）を読み取った後、ＵＥ１１５は、それが周期的冗長検査（ＣＲＣ）チェックの成功を得るまでスクランブリングコードの異なるフェーズを試みることができる。スクランブリングコード（０、１、２、または３）のフェーズは、４つの反復のうちのどれが受信されたかをＵＥ１１５が識別することを可能にし得る。ゆえに、ＵＥ１１５は、復号された送信におけるＳＦＮを読み取り、スクランブリングコードのフェーズを加えることで現在のＳＦＮを決定し得る。ＭＩＢを受信した後、ＵＥは、１つまたは複数のＳＩＢを受信し得る。異なるＳＩＢは、運ばれるシステム情報のタイプにしたがって定義され得る。新しいＳＩＢ１は、第８のフレームごと（ＳＦＮｍｏｄ８＝０）の第５のサブフレームで送信され得、１フレームおきに（２０ｍｓ）再ブロードキャストされ得る。ＳＩＢ１は、セルアイデンティティ情報を含む、アクセス情報を含み、それは、ＵＥがセル１０５にキャンプオンすることが許可されるかどうかを示し得る。ＳＩＢ１はまた、セル選択情報（または、セル選択パラメータ）を含む。追加的に、ＳＩＢ１は、他のＳＩＢについてのスケジューリング情報を含む。ＳＩＢ２は、動的にＳＩＢ１中の情報にしたがってスケジューリングされ得、共通チャネルおよび共有チャネルに関するアクセス情報およびパラメータを含む。ＳＩＢ２の周期性は、８、１６、３２、６４、１２８、２５６、または５１２個の無線フレームに設定されることができる。
【００３９】
[0046]いくつかのケースでは、ＭＴＣデバイスの低コスト、低複雑性は、ＳＩＢ１に取って代わり得る専用のＳＩＢを利用し得る。これは、ＭＴＣ ＳＩＢまたはＭＴＣ ＳＩＢ１として知られているだろう。本開示によれば、ＭＴＣ ＳＩＢまたはデフォルトＳＩＢ１は、複信構成依存型ＭＩＢのフィールドを解釈することで、位置特定（locate）され得る。
【００４０】
[0047]したがって、ＵＥ１１５は、１つまたは複数の同期信号に基づいて、キャリアの複信構成（たとえば、ＦＤＤまたはＴＤＤ）を決定し得る。次に、ＵＥ１１５は、キャリア上でＭＩＢを受信し得、キャリアの複信構成に基づいて、ＭＩＢの１つまたは複数のフィールドを解釈し得る。構成依存型フィールドは、スペシャルサブフレームフィールド、システム情報ロケーションフィールド、または両方を含み得る。いくつかのケースでは、たとえば、ＴＤＤ構成では、ＵＥ１１５は、ＭＩＢを受信するために、キャリアのスペシャルサブフレーム構成を仮定し得、ＭＩＢを受信した後に、仮定したスペシャルサブフレーム構成を更新し得る。
【００４１】
[0048]図２は、本開示の様々な態様に係る、システムタイプ依存型ＭＩＢ動作のためのワイヤレス通信サブシステム２００の例を例示する。ワイヤレス通信サブシステム２００は、ＵＥ１１５−ａ基地局１０５−ａとを含み得、これらは、図１に関連して説明されたＵＥ１１５と基地局１０５の例であり得る。いくつかのケースでは、ＵＥ１１５−ａは、図１に関連して説明されたように、低コスト、低複雑性、またはＭＴＣのデバイスであり得る。
【００４２】
[0049]すなわち、ＬＴＥシステムのようないくつかのシステムでは、ＵＥ１１５−ａは、カテゴリ０に分類され得る。カテゴリは、固有の通信パラメータを有し得る。たとえば、カテゴリ０は、トランスポートブロックサイズ（ＴＢＳ）のための最大１０００ビット、ランク１送信、１つの受信アンテナ、１ｍｓのような半二重における増加された切替え時間に関連付けられ得る。いくつかのケースでは、拡張ＭＴＣ（ｅＭＴＣ）のようなＭＴＣへの拡張（enhancement）がサポートされ得る。これら拡張は、たとえば、１．４、３、５、１０、１５、または２０ＭＨｚのようなより広いシステム帯域幅をサポートする、６つのリソースブロック（ＲＢ）を有する１．４ＭＨｚでのような狭帯域動作を含み得る。さらに、カバレッジは、１５ｄＢ程度ぶん強化され得る。
【００４３】
[0050]ＵＥ１１５−ａおよび基地局１０５−ａは、通信リンク１２５−ａを介して通信し得、これは、ダウンリンクおよびアップリンクの両方の通信をサポートするための複信構成を有し得る。たとえば、通信リンク１２５−ａは、ＴＤＤ構成を有し得、アップリンク時間期間２０５とダウンリンク時間期間２１０とに分割され得る。
【００４４】
[0051]通信リンク１２５−ａは、物理ブロードキャストチャネル（ＰＢＣＨ）を含み得、これは、マスタ情報ブロック（ＭＩＢ）を搬送し得る。いくつかのケースでは、ＭＩＢは、１６ビットの周期的冗長検査（ＣＲＣ）のない、２４ビットという規定ペイロードサイズを有し得る。ＭＩＢは、８ビットのシステムフレーム番号と、４ビットのシステム帯域幅インジケータと、２ビットの物理ハイブリッドＡＲＱインジケータチャネル（ＰＨＩＣＨ）リソースインジケータと、１ビットのＰＨＩＣＨタイムスパンインジケータと、９つのリザーブドビットとを含み得る。
【００４５】
[0052]カバレッジを強化するために、ＰＢＣＨは、異なるサブフレームにわたって反復され得る。異なるサブフレームにわたってＰＢＣＨを反復することで、悪い無線チャネル条件にあるＵＥ１１５がカバーされ得る。たとえば、ＰＢＣＨは、すべてのフレームについて、サブフレーム０と、少なくとも１つの他のサブフレームとで反復され得る。フレームは、反復が構成されている場合、４０ｍｓのサイクルで送信され得る。いくつかのケースでは、ネットワークは、セルについてＰＢＣＨ反復を構成するかどうかを決定し得る。ＰＢＣＨ反復の構成は、セルの長期特性であり得る。このように、いくつかのケースでは、ＵＥ１１５−ａは、ＰＢＣＨ反復が、初期捕捉中のウェイクアップする後続の時間中、オンであろうがオフであろうが、同じであると想定し得る。
【００４６】
[0053]ＭＴＣ動作を容易にするために、ＭＩＢからのビットは、ＭＴＣ目的で再利用され得る。たとえば、ＭＩＢの９つのリザーブドビットは、ＭＴＣに使用され得る。９つのリザーブドビットの使用は、カバレッジ強化のサポートを示す１ビット、リリース１３のＭＴＣ ＵＥのサポートを示す１ビット、ＭＴＣ ＳＩＢ１の時間周波数位置を示す２または３ビット、ＭＴＣ ＳＩＢ１のＴＢＳを示す２ビット、制御フォーマットインジケータ（ＣＦＩ）のための２ビット、またはそれらの任意の組み合わせを含み得る。いくつかのケースでは、将来の使用のために、多数の９つのリザーブドビットをリザーブすることが望まれ得る。たとえば、９つのリザーブドビットのＭＴＣ使用は、潜在的な９ビットのうちの４または５つに限られ得る。
【００４７】
[0054]時分割複信（ＴＤＤ）システムにおいてＰＢＣＨ反復のためのサブフレームを決定するとき、多数のファクタが考慮され得る。たとえば、ＰＢＣＨ反復は、ＳＩＢ１の送信と同じサブフレーム中での送信を回避し得る。ＳＩＢ１は、中央の６つのＲＢで送信され得る。いくつかのケースでは、ＳＩＢ１送信は、たとえば、周波数ダイバーシティゲインを活用するために、サブバンドホッピングを実行し得、これにより、ＰＢＣＨ反復は中央の６つのＲＢを使用することが可能になり得る。さらに、ダウンリンクパイロットタイムスロット（ＤｗＰＴＳ）が、物理ダウンリンク共有チャネル（ＰＤＳＣＨ）送信に対して利用可能である場合、ＤｗＰＴＳは、３つのシンボルの長さを有し得、ＰＤＳＣＨ送信は回避され得る。いくつかのケースでは、スペシャルサブフレームを含むＤＬサブフレームがセルにおいていくつ利用可能であるかが、ＰＢＣＨ反復のためのサブフレームを決定する際のファクタであり得る。別のファクタは、どのＤＬサブフレームが拡張マルチメディアブロードキャストマルチキャストサービス（ｅＭＢＭＳ）サブフレームのために構成され、どのＤＬサブフレームが測位基準信号（ＰＲＳ）サブフレームのために構成され、どのＤＬサブフレームが他のサブフレームのために構成されるかである。ＰＤＳＣＨは、ＤＬサブフレームの構成次第では送信されないであろう。
【００４８】
[0055]周波数分割複信（ＦＤＤ）システム（図示されない）では、ＰＢＣＨ反復のためのサブフレームを決定することは、ＳＩＢ１のロケーションまたは異なるＤＬサブフレームの構成（たとえば、どのフレームがｅＭＢＭＳサブフレームのために構成され、どのフレームがＰＲＳサブフレームのために構成され、どのフレームがその他のために構成されるか）に基づき得る。異なるＤＬサブフレームの構成次第では、ＰＤＳＣＨは、送信されないだろう。
【００４９】
[0056]時々、ＭＴＣについてのＳＩＢ１は、制御チャネルなしで基地局１０５−ａによって送信され得る。これは、時間または周波数ロケーション、ＳＩＢ１のＴＢＳ、またはＳＩＢ１のＭＣＳが、固定値または既定の値あるいはＭＩＢに定められている値を有することを必要とし得る。さらに、ＭＢＳＦＮ構成、ＴＤＤ構成、等のサブフレームの構成に関して、厄介な問題が生じ得る。たとえば、ＳＩＢ１のロケーションの知識は、ＳＩＢ１を復号するために必要とされ得、ＳＩＢ１は、サブフレーム構成を決定するために復号される必要があり得る。しかしながら、サブフレーム構成は、ＳＩＢ１のロケーションを決定する際に有益であり得る。
【００５０】
[0057]いくつかのケースでは、ＰＢＣＨは、１フレーム内で反復され得る。たとえば、ＰＢＣＨは、各フレームのサブフレーム０と、少なくとも１つの他のサブフレームとで送信され得、これは、４０ｓｍのサイクルで反復され得る。ＦＤＤキャリアの場合、ＰＢＣＨは、サブフレーム９で反復され得、これは、（たとえば、ＰＢＣＨが、連続したサブフレーム０および９で送信されることとなるため）コヒーレントなＰＢＣＨ検出を支援し得る。ＴＤＤキャリアの場合、ＰＢＣＨは、サブフレーム１で反復され得、これは、（たとえば、ＰＢＣＨが、連続したサブフレーム０および１で送信されることとなるため）コヒーレントなＰＢＣＨ検出を支援し得る。
【００５１】
[0058]ＴＤＤキャリアの場合、ＤｗＰＴＳ構成が、セルカバレッジに対処するために選択される必要があり得る。たとえば、大きなガード期間と、それゆえにより小さいＤｗＰＴＳとが、大きな伝播遅延による、（カバレッジエリア１１０−ａのサブセットであり得る）大きなセルエリアに対処するために用いられ得る。すなわち、大きなガード期間が、他のセルのＤＬ送信からの干渉を最小化するのに必要とされ得る。
【００５２】
[0059]いくつかのケースでは、ＵＥ１１５−ａは、ＭＩＢを復号する前、ＤｗＰＴＳ構成を知らないだろう。追加的に、特定のファクタは、ＵＥ１１５−ａがＭＩＢを復号し得るかどうかまたはいつ復号し得るかに関連し得る。ＭＩＢは、中央の６つのＲＢに存在し得る。いくつかのケースでは、ＤＬからＵＬへの干渉が懸念事項である場合、ＵＬ送信は、サブフレーム１または２または両方の中央の６つのＲＢにはスケジュールされないであろう。すなわち、ＭＩＢを復号することに対して、大きなＵＬタイミングアドバンスが用いられる場合、ＵＥ１１５−ａは、ＭＩＢおよびＳＩＢ１を復号した後、他のＵＬサブフレームにスケジュールされ得るか、ＭＩＢを復号せず、サブフレーム１または２にスケジュールされ得る。この点から見て、サブフレーム１がＭＩＢ反復に使用される場合、ＵＥ１１５−ａは、固定のＤｗＰＴＳ構成（たとえば、通常のＣＰの場合には１１シンボルのＤｗＰＴＳ、拡張ＣＰの場合には９シンボルのＤｗＰＴＳ；１シンボルのガード期間；２シンボルのＵｐＰＴＳ）を想定し得る。ＭＩＢまたはＳＩＢ１が復号されたら、ＵＥ１１５−ａは、想定したＤｗＰＴＳ構成とは異なり得る、実際のＤｗＰＴＳ長を知るであろう。しかしながら、いくつかのケースでは、この相違は、重要ではないだろう。通常のトラフィックの場合、ＵＥ１１５−ａは、実際の構成を使用し得、ＭＩＢ検出の場合、ＵＥ１１５−ａは、固定の構成を想定よび使用し得る。
【００５３】
[0060]ＵＥ１１５−ａは、ＵＥ１１５−ａがＰＢＣＨを復号し始めるときまでに、ＰＳＳ／ＳＳＳを介して、システムタイプ（たとえば、複信構成）を識別し得る。ＦＤＤシステムおよびＴＤＤシステムが異なるニーズを有し得るため、ＰＢＣＨで搬送される情報は、異なり得る（たとえば、ＦＤＤシステムまたはＴＤＤシステム用に設計され得る）。結果として、ＭＩＢは、ＴＤＤおよびＦＤＤの両方に共通のいくつかの情報フィールド（たとえば、インジケーションＳＩＢ１周波数ロケーション、時間ロケーション、またはＴＢＳへの情報エントリ）を含み得、ＭＩＢは、ＦＤＤまたはＴＤＤキャリアに固有の（または、それらについての解釈が異なる）いくつかのフィールドを含み得る。ＰＳＳ／ＳＳＳを使用して、キャリアがＦＤＤであるかＴＤＤであるかをＵＥ１１５−ａが検出した後、かつ、それがＰＢＣＨを復号した後、ＵＥ１１５−ａは、キャリア（または、システム）がＦＤＤシステムであるかＴＤＤシステムであるかに基づいて、ＰＢＣＨコンテンツを解釈し得る。
【００５４】
[0061]いくつかのケースでは、ＤｗＰＴＳ構成を示すためにＭＩＢのフィールドが使用され得る（たとえば、３つまたは１１個のシンボルのような、ＤｗＰＴＳのエントリの低減されたセットを示すための１ビット）。それはまた、ＤＬサブフレームの利用可能性に関する情報を含み得る。たとえば、１ビットが、ＵＥ１１５−ａが、ＳＩＢ１について以下の可能なＤＬサブフレームを想定することができるかどうかを示し得る：０は、可能なＤＬサブフレームが０および５であることを示し得、１は、可能なＤＬサブフレームが９、４、５、および９であることを示し得る。これは、ＴＤＤ構成＃１、＃２、＃４、および＃５についてのＤＬサブフレームの共通セットを表し得る。いくつかのケースでは、そのようなインジケーションは、暗示的であり得る。たとえば、基地局１０５−ａは、ＳＩＢ１がサブフレーム４に存在することを示し得る。いくつかのケースでは、ＦＤＤ固有のＭＩＢはまた、リザーブドＴＤＤ固有情報に対応するリザーブドビットを有し得る。
【００５５】
[0062]図３は、本開示の様々な態様に係る、システムタイプ依存型ＭＩＢ動作のためのプロセスフロー３００の例を例示する。プロセスフロー３００は、ＵＥ１１５−ｂと基地局１０５−ｂとを含み得、これらは、図１−２に関連して説明されたＵＥ１１５および基地局１０５の例であり得る。
【００５６】
[0063]３０５において、基地局１０５−ｂは、ＰＳＳまたはＳＳＳのような同期信号をブロードキャストし得る。いくつかのケースでは、基地局１０５−ｂは、複信構成に少なくとも部分的に基づいて、１つまたは複数の同期信号を送信し得る。ＵＥ１１５−ｂは、複信構成が、１つまたは複数の同期信号に少なくとも部分的に基づいて決定されるような、１つまたは複数の同期信号を受信し得る。いくつかのケースでは、基地局１０５−ｂは、ＰＳＳ／ＳＳＳを送信する前にキャリアの複信構成を識別し得る。
【００５７】
[0064]３１０において、ＵＥ１１５−ｂは、同期信号に基づいて、キャリアの複信構成を決定し得る。いくつかの例では、複信構成は、ＴＤＤ構成を備える。ＵＥ１１５−ｂは、ＭＩＢが、仮定したスペシャルサブフレーム構成にしたがって受信されるように、キャリアのＴＤＤ構成に少なくとも部分的に基づいて、スペシャルサブフレーム構成を仮定し得る。いくつかの例では、仮定したスペシャルサブフレーム構成は、１１シンボルのＤｗＰＴＳ、９シンボルのＤｗＰＴＳ、１シンボルのガード期間、２シンボルのＵｐＰＴＳ、またはそれらの任意の組み合わせを備える。
【００５８】
[0065]３１５において、基地局１０５−ｂは、ＭＩＢをブロードキャストし得る。すなわち、基地局１０５−ｂは、キャリア上でＭＩＢをブロードキャストし得、ＵＥ１１５−ｂは、キャリア上でＭＩＢを受信し得る。基地局１０５−ｂは、複信構成に少なくとも部分的に基づいて、少なくとも１つのフィールドを有するＭＩＢを構成し得る。
【００５９】
[0066]３２０において、ＵＥ１１５−ｂは、複信構成に基づいて、ＭＩＢを解釈し得る。すなわち、ＵＥ１１５−ｂは、キャリアの複信構成に少なくとも部分的に基づいて、ＭＩＢの少なくとも１つのフィールドを解釈し得る。いくつかの例では、ＭＩＢの少なくとも１つのフィールドは、スペシャルサブフレーム構成を備える。いくつかの例では、スペシャルサブフレーム構成は、低減されたＤｗＰＴＳセットを備える。いくつかの例では、ＭＩＢの少なくとも１つのフィールドは、ＳＩＢロケーションフィールドを備える。いくつかの例では、ＭＩＢの少なくとも１つのフィールドは、ＳＩＢロケーションフィールドの反復の数を備える。いくつかの例では、ＳＩＢロケーションフィールドは、ＳＩＢ１についての１つまたは複数のＤＬサブフレームオプションを示す。いくつかのケースでは、次に、ＵＥ１１５−ｂは、受信したＭＩＢに少なくとも部分的に基づいて、仮定したスペシャルサブフレーム構成を更新し得る。
【００６０】
[0067]３２５において、ＵＥ１１５−ｂは、ＭＩＢに基づいて、ＳＩＢ１のロケーションまたは（トランスポートブロックサイズおよび変調およびコード化方式（ＭＣＳ）のような）他の態様を識別し得る。３３０において、基地局１０５−ｂは、共有チャネルでＳＩＢ１を送信し得る。いくつかのケースでは、ＳＩＢは、ＭＴＣ ＳＩＢ１であり得る。
【００６１】
[0068]図４は、本開示の様々な態様に係る、システムタイプ依存型ＭＩＢのために構成されたワイヤレスデバイス４００のブロック図を示す。ワイヤレスデバイス４００は、図１−３に関連して説明されたＵＥ１１５の態様の例であり得る。ワイヤレスデバイス４００は、受信機４０５、システムタイプ依存型ＭＩＢモジュール４１０、または送信機４１５を含み得る。ワイヤレスデバイス４００はまた、プロセッサを含み得る。これらの構成要素の各々は、互いと通信状態にあり得る。
【００６２】
[0069]受信機４０５は、様々な情報チャネル（たとえば、制御チャネル、データチャネル、およびシステムタイプ依存型ＭＩＢに関する情報、等）に関連付けられたパケット、ユーザデータ、または制御情報のような情報を受信し得る。情報は、システムタイプ依存型ＭＩＢモジュール４１０に、および、ワイヤレスデバイス４００の他の構成要素に伝えられ得る。
【００６３】
[0070]システムタイプ依存型ＭＩＢモジュール４１０は、キャリアの複信構成を決定し、キャリア上でＭＩＢを受信し、キャリアの複信構成に少なくとも部分的に基づいて、ＭＩＢの少なくとも１つのフィールドを解釈し得る。
【００６４】
[0071]送信機４１５は、ワイヤレスデバイス４００の他の構成要素から受け取った信号を送信し得る。いくつかの例では、送信機４１５は、トランシーバモジュールにおいて、受信機４０５とコロケートされ（collocated）得る。送信機４１５は、単一のアンテナを含み得るか、複数のアンテナを含み得る。
【００６５】
[0072]図５は、本開示の様々な態様に係る、システムタイプ依存型ＭＩＢのためのワイヤレスデバイス５００のブロック図を示す。ワイヤレスデバイス５００は、図１−４に関連して説明されたワイヤレスデバイス４００またはＵＥ１１５の態様の例であり得る。ワイヤレスデバイス５００は、受信機４０５−ａ、システムタイプ依存型ＭＩＢモジュール４１０−ａ、または送信機４１５−ａを含み得る。ワイヤレスデバイス５００はまた、プロセッサを含み得る。これらの構成要素の各々は、互いと通信状態にあり得る。システムタイプ依存型ＭＩＢモジュール４１０−ａはまた、複信構成モジュール５０５と、ＭＩＢモジュール５１０と、ＭＩＢ解釈モジュール５１５とを含み得る。
【００６６】
[0073]受信機４０５−ａは、システムタイプ依存型ＭＩＢモジュール４１０−ａに、および、ワイヤレスデバイス５００の他の構成要素に伝えられ得る情報を受信し得る。システムタイプ依存型ＭＩＢモジュール４１０−ａは、図４に関連して説明された動作を実行し得る。送信機４１５−ａは、ワイヤレスデバイス５００の他の構成要素から受け取った信号を送信し得る。
【００６７】
[0074]複信構成モジュール５０５は、図２−３に関連して説明されたように、キャリアの複信構成を決定し得る。
【００６８】
[0075]ＭＩＢモジュール５１０は、図２−３に関連して説明されたように、キャリア上でＭＩＢを受信し得る。
【００６９】
[0076]ＭＩＢ解釈モジュール５１５は、図２−３に関連して説明されたように、キャリアの複信構成に少なくとも部分的に基づいて、ＭＩＢの少なくとも１つのフィールドを解釈し得る。
【００７０】
[0077]図６は、本開示の様々な態様に係る、システムタイプ依存型ＭＩＢのためのワイヤレスデバイス４００またはワイヤレスデバイス５００の構成要素であり得るシステムタイプ依存型ＭＩＢモジュール４１０−ｂのブロック図６００を示す。システムタイプ依存型ＭＩＢモジュール４１０−ｂは、図４−５に関連して説明されたシステムタイプ依存型ＭＩＢモジュール４１０の態様の例であり得る。システムタイプ依存型ＭＩＢモジュール４１０−ｂはまた、複信構成モジュール５０５−ａと、ＭＩＢモジュール５１０−ａと、ＭＩＢ解釈モジュール５１５−ａとを含み得る。これらのモジュールの各々は、図５に関連して説明された機能を実行し得る。システムタイプ依存型ＭＩＢモジュール４１０−ｂはまた、ＴＤＤモジュール６０５と、スペシャルサブフレームモジュール６１０と、ＳＩＢロケーションモジュール６１５と、同期モジュール６２０とを含み得る。
【００７１】
[0078]ＴＤＤモジュール６０５は、図２−３に関連して説明されたように、複信構成がＴＤＤ構成を含み得るように構成され得る。
【００７２】
[0079]スペシャルサブフレームモジュール６１０は、図２−３に関連して説明されたように、ＭＩＢの少なくとも１つのフィールドがスペシャルサブフレーム構成を含み得るように構成され得る。いくつかの例では、スペシャルサブフレーム構成は、低減されたダウンリンクパイロットタイムスロット（ＤｗＰＴＳ）セットを備える。スペシャルサブフレームモジュール６１０はまた、ＭＩＢが、仮定したスペシャルサブフレーム構成にしたがって受信されるように、キャリアのＴＤＤ構成に少なくとも部分的に基づいて、スペシャルサブフレーム構成を仮定し得る。いくつかの例では、仮定したスペシャルサブフレーム構成は、１１シンボルのダウンリンクパイロットタイムスロット（ＤｗＰＴＳ）、９シンボルのＤｗＰＴＳ、１シンボルのガード期間、２シンボルのアップリンクパイロットタイムスロット（ＵｐＰＴＳ）、またはそれらの任意の組み合わせを備える。スペシャルサブフレームモジュール６１０はまた、受信したＭＩＢに少なくとも部分的に基づいて、仮定したスペシャルサブフレーム構成を更新し得る。
【００７３】
[0080]ＳＩＢロケーションモジュール６１５は、図２−３に関連して説明されたように、ＭＩＢの少なくとも１つのフィールドがＳＩＢロケーションフィールドを含み得るように構成され得る。いくつかの例では、ＳＩＢロケーションフィールドは、ＳＩＢ１についての１つまたは複数のＤＬサブフレームオプションを示し得る。
【００７４】
[0081]同期モジュール６２０は、図２−３に関連して説明されたように、複信構成が、１つまたは複数の同期信号に少なくとも部分的に基づいて決定されるような、１つまたは複数の同期信号を受信し得る。
【００７５】
[0082]図７は、本開示の様々な態様に係る、システムタイプ依存型ＭＩＢのために構成されたＵＥ１１５を含むシステム７００の図を示す。システム７００は、ＵＥ１１５−ｃを含み得、それは、図１、２、および４−６に関連して説明されたワイヤレスデバイス４００、ワイヤレスデバイス５００、またはＵＥ１１５の例であり得る。ＵＥ１１５−ｃは、システムタイプ依存型ＭＩＢモジュール７１０を含み得、これは、図４−６に関連して説明されたシステムタイプ依存型ＭＩＢモジュール４１０の例であり得る。ＵＥ１１５−ｃはまた、ＭＴＣモジュール７２５を含み得る。ＵＥ１１５−ｃは、通信を送信するための構成要素および通信を受信するための構成要素を含む、双方向音声およびデータ通信のための構成要素を含み得る。たとえば、ＵＥ１１５−ｃは、基地局１０５−ｃと双方向で通信し得る。
【００７６】
[0083]ＭＴＣモジュール７２５は、図１に関連して説明されたように、ＭＴＣ固有プロシージャを可能にし得る。ＭＴＣモジュール７２５はまた、狭帯域動作および追加の冗長性のような、追加の省電力およびカバレッジ強化機能を可能にし得る。
【００７７】
[0084]ＵＥ１１５−ｃは、プロセッサ７０５と、（ソフトウェア（ＳＷ）７２０を含む）メモリ７１５と、トランシーバ７３５と、１つまたは複数のアンテナ７４０とを含み得、これらの各々は、（たとえば、バス７４５を介して）互いに直接的または間接的に通信し得る。トランシーバ７３５は、上述したように、アンテナ７４０あるいはワイヤードまたはワイヤレスリンクを介して、１つまたは複数のネットワークと双方向で通信し得る。たとえば、トランシーバ７３５は、基地局１０５または別のＵＥ１１５と双方向で通信し得る。トランシーバ７３５は、パケットを変調し、その変調されたパケットを送信のためにアンテナ７４０に供給するように、およびアンテナ７４０から受け取ったパケットを復調するように構成されたモデムを含み得る。ＵＥ１１５−ｃは単一のアンテナ７４０を含み得るが、ＵＥ１１５−ｃはまた、複数のワイヤレス送信を同時に送信または受信することが可能な複数のアンテナ７４０を有し得る。
【００７８】
[0085]メモリ７１５は、ランダムアクセスメモリ（ＲＡＭ）および読取専用メモリ（ＲＯＭ）を含み得る。メモリ７１５は、実行されると、本明細書で説明された様々な機能（たとえば、システムタイプ依存型ＭＩＢ、等）を実行することをプロセッサ７０５に行わせる命令を含む、コンピュータ読取可能でコンピュータ実行可能なソフトウェア／ファームウェアコード７２０を記憶し得る。代替的に、ソフトウェア／ファームウェアコード７２０は、プロセッサ７０５によって直接的に実行可能ではないこともあるが、（たとえば、コンパイルおよび実行されると）、コンピュータに、本明細書で説明された機能を実行させ得る。プロセッサ７０５は、インテリジェントハードウェアデバイス（たとえば、中央処理装置（ＣＰＵ）、マイクロコントローラ、特定用途向け集積回路（ＡＳＩＣ）、等）を含み得る。
【００７９】
[0086]図８は、本開示の様々な態様に係る、システムタイプ依存型ＭＩＢのために構成されたワイヤレスデバイス８００のブロック図を示す。ワイヤレスデバイス８００は、図１−７に関連して説明された基地局１０５の態様の例であり得る。ワイヤレスデバイス８００は、受信機８０５、基地局システムタイプ依存型ＭＩＢモジュール８１０、または送信機８１５を含み得る。ワイヤレスデバイス８００はまた、プロセッサを含み得る。これらの構成要素の各々は、互いと通信状態にあり得る。
【００８０】
[0087]受信機８０５は、様々な情報チャネル（たとえば、制御チャネル、データチャネル、およびシステムタイプ依存型ＭＩＢに関する情報、等）に関連付けられたパケット、ユーザデータ、または制御情報のような情報を受信し得る。情報は、基地局システムタイプ依存型ＭＩＢモジュール８１０に、および、ワイヤレスデバイス８００の他の構成要素に伝えられ得る。
【００８１】
[0088]基地局システムタイプ依存型ＭＩＢモジュール８１０は、キャリアの複信構成を識別し、複信構成に少なくとも部分的に基づいて、少なくとも１つのフィールドを有するＭＩＢを構成し、キャリア上でＭＩＢをブロードキャストし得る。
【００８２】
[0089]送信機８１５は、ワイヤレスデバイス８００の他の構成要素から受け取った信号を送信し得る。いくつかの例では、送信機８１５は、トランシーバモジュールにおいて、受信機８０５とコロケートされ得る。送信機８１５は、単一のアンテナを含み得るか、複数のアンテナを含み得る。いくつかの例では、送信機８１５は、キャリア上でＭＩＢをブロードキャストし得る。
【００８３】
[0090]図９は、本開示の様々な態様に係る、システムタイプ依存型ＭＩＢのためのワイヤレスデバイス９００のブロック図を示す。ワイヤレスデバイス９００は、図１−８に関連して説明されたワイヤレスデバイス８００または基地局１０５の態様の例であり得る。ワイヤレスデバイス９００は、受信機８０５−ａ、基地局システムタイプ依存型ＭＩＢモジュール８１０−ａ、または送信機８１５−ａを含み得る。ワイヤレスデバイス９００はまた、プロセッサを含み得る。これらの構成要素の各々は、互いと通信状態にあり得る。基地局システムタイプ依存型ＭＩＢモジュール８１０−ａはまた、ＢＳ複信構成モジュール９０５と、ＭＩＢ構成モジュール９１０とを含み得る。
【００８４】
[0091]受信機８０５−ａは、基地局システムタイプ依存型ＭＩＢモジュール８１０−ａに、および、ワイヤレスデバイス９００の他の構成要素に伝えられ得る情報を受信し得る。基地局システムタイプ依存型ＭＩＢモジュール８１０−ａは、図８に関連して説明された動作を実行し得る。送信機８１５−ａは、ワイヤレスデバイス９００の他の構成要素から受け取った信号を送信し得る。
【００８５】
[0092]ＢＳ複信構成モジュール９０５は、図２−３に関連して説明されたように、キャリアの複信構成を識別し得る。
【００８６】
[0093]ＭＩＢ構成モジュール９１０は、図２−３に関連して説明されたように、複信構成に少なくとも部分的に基づいて、少なくとも１つのフィールドを有するＭＩＢを構成し得る。
【００８７】
[0094]図１０は、本開示の様々な態様に係る、基地局システムタイプ依存型ＭＩＢのためのワイヤレスデバイス８００またはワイヤレスデバイス９００の構成要素であり得る基地局システムタイプ依存型ＭＩＢモジュール８１０−ｂのブロック図１０００を示す。基地局システムタイプ依存型ＭＩＢモジュール８１０−ｂは、図８−９に関連して説明された基地局システムタイプ依存型ＭＩＢモジュール８１０の態様の例であり得る。基地局システムタイプ依存型ＭＩＢモジュール８１０−ｂはまた、ＢＳ複信構成モジュール９０５−ａと、ＭＩＢ構成モジュール９１０−ａとを含み得る。これらのモジュールの各々は、図９に関連して説明された機能を実行し得る。基地局システムタイプ依存型ＭＩＢモジュール８１０−ｂはまた、ＢＳ同期モジュール１００５と、ＢＳ ＴＤＤモジュール１０１０と、ＢＳスペシャルサブフレームモジュール１０１５と、ＢＳ ＳＩＢロケーションモジュール１０２０とを含み得る。
【００８８】
[0095]ＢＳ同期モジュール１００５は、図２−３に関連して説明されたように、複信構成に少なくとも部分的に基づいて、１つまたは複数の同期信号を送信し得る。
【００８９】
[0096]ＢＳ ＴＤＤモジュール１０１０は、図２−３に関連して説明されたように、複信構成がＴＤＤ構成を含み得るように構成され得る。
【００９０】
[0097]ＢＳスペシャルサブフレームモジュール１０１５は、図２−３に関連して説明されたように、ＭＩＢの少なくとも１つのフィールドがスペシャルサブフレーム構成を含み得るように構成され得る。
【００９１】
[0098]ＢＳ ＳＩＢロケーションモジュール１０２０は、図２−３に関連して説明されたように、ＭＩＢの少なくとも１つのフィールドがＳＩＢロケーションフィールドを含み得るように構成され得る。
【００９２】
[0099]図１１は、本開示の様々な態様に係る、システムタイプ依存型ＭＩＢのために構成された基地局１０５を含むシステム１１００の図を示す。システム１１００は、基地局１０５−ｄを含み得、それは、図１、２、および８−１０に関連して説明されたワイヤレスデバイス８００、ワイヤレスデバイス９００、または基地局１０５の例であり得る。基地局１０５−ｄは、基地局システムタイプ依存型ＭＩＢモジュール１１１０を含み得、これは、図８−１０に関連して説明された基地局システムタイプ依存型ＭＩＢモジュール８１０の例であり得る。基地局１０５−ｄは、通信を送信するための構成要素および通信を受信するための構成要素を含む、双方向音声およびデータ通信のための構成要素を含み得る。たとえば、基地局１０５−ｄは、ＵＥ１１５−ｄおよび（ＭＴＣデバイスであり得る）ＵＥ１１５−ｅと双方向で通信し得る。
【００９３】
[0100]いくつかのケースでは、基地局１０５−ｄは、１つまたは複数のワイヤードホールリンクを有し得る。基地局１０５−ｄは、コアネットワーク１３０へのワイヤードバックホールリンク（たとえば、Ｓ１インターフェース、等）を有し得る。基地局１０５−ｄはまた、基地局間バックホールリンク（たとえば、Ｘ２インターフェース）を介して、基地局１０５−ｅおよび基地局１０５−ｆのような、他の基地局１０５と通信し得る。基地局１０５の各々は、同じまたは異なるワイヤレス通信技術を使用してＵＥ１１５と通信し得る。いくつかの場合では、基地局１０５−ｄは、基地局通信モジュール１１２５を利用して１０５−ｅまたは１０５−ｆのような他の基地局と通信し得る。いくつかの例では、基地局通信モジュール１１２５は、基地局１０５のうちのいくつかの間での通信を提供するために、ロングタームエボリューション（ＬＴＥ）／ＬＥＴ−Ａワイヤレス通信ネットワーク技法内でＸ２インターフェースを提供し得る。いくつかの例では、基地局１０５−ｄは、コアネットワーク１３０を通じて他の基地局と通信し得る。いくつかのケースでは、基地局１０５−ｄは、ネットワーク通信モジュール１１３０を通じてコアネットワーク１３０と通信し得る。
【００９４】
[0101]基地局１０５−ｄは、プロセッサ１１０５と、（ソフトウェア（ＳＷ）１１２０を含む）メモリ１１１５と、トランシーバ１１３５と、アンテナ１１４０とを含み得、それは各々、（たとえば、バスシステム１１４５を通して）互いに直接的または間接的に通信状態にあり得る。トランシーバ１１３５は、アンテナ１１４０を介して、ＵＥ１１５と双方向で通信するように構成され得、これは、マルチモードデバイスであり得る。トランシーバ１１３５（または、基地局１０５−ｄの他の構成要素）はまた、アンテナ１１４０を介して、１つまたは複数の他の基地局（図示されない）と双方向で通信するように構成され得る。トランシーバ１１３５は、パケットを変調し、その変調されたパケットを送信のためにアンテナ１１４０に供給するように、およびアンテナ１１４０から受け取ったパケットを復調するように構成されたモデムを含み得る。基地局１０５−ｄは、各々が１つまたは複数の関連するアンテナ１１４０を有する複数のトランシーバ１１３５を含み得る。トランシーバは、図８の組み合わせられた受信機８０５と送信機８１５の例であり得る。
【００９５】
[0102]メモリ１１１５は、ＲＡＭおよびＲＯＭを含み得る。メモリ１１１５はまた、実行されると、本明細書で説明された様々な機能（たとえば、システムタイプ依存型ＭＩＢ、カバレッジ強化技法の選択、呼処理、データベース管理、メッセージルーティング、等）を実行することをプロセッサ１１０５に行わせるように構成された命令を含むコンピュータ読取可能でコンピュータ実行可能なソフトウェア１１２０を記憶し得る。代替的に、ソフトウェア１１２０は、プロセッサ１１０５によって直接実行可能ではないが、たとえば、コンパイルされ、実行されると、コンピュータに、本明細書で説明された機能を実行させるように構成され得る。プロセッサ１１０５は、インテリジェントハードウェアデバイス、たとえば、ＣＰＵ、マイクロコントローラ、ＡＳＩＣ、等を含み得る。プロセッサ１１０５は、エンコーダ、キュー処理モジュール、ベースバンドプロセッサ、ラジオヘッドコントローラ、デジタルシグナルプロセッサ（ＤＳＰ）、等の、様々な専用プロセッサを含み得る。
【００９６】
[0103]基地局通信モジュール１１２５は、他の基地局１０５との通信を管理し得る。いくつかのケースでは、通信管理モジュールは、他の基地局１０５と連携しているＵＥ１１５との通信を制御するためのスケジューラまたはコントローラを含み得る。たとえば、基地局通信モジュール１１２５は、ビームフォーミングまたは共同送信のような様々な干渉緩和技法のために、ＵＥ１１５への送信のためのスケジューリングを協調し得る。
【００９７】
[0104]ワイヤレスデバイス４００、ワイヤレスデバイス５００、システムタイプ依存型ＭＩＢモジュール４１０、ワイヤレスデバイス８００、ワイヤレスデバイス９００、基地局システムタイプ依存型ＭＩＮモジュール８１０、システム７００、およびシステム１００の構成要素は、個々にまたは集合的に、ハードウェア中の適用可能な機能のうちのいくつかまたはすべてを実行するのに適合した少なくとも１つのＡＳＩＣで実施され得る。代替的に、これら機能は、少なくとも１つのＩＣ上で、１つまたは複数の他の処理ユニット（または、コア）によって実行され得る。他の例では、他のタイプの集積回路（たとえば、構造化／プラットフォームＡＳＩＣ、フィールドプログラマブルゲートアレイ（ＦＰＧＡ）、または別の半カスタムＩＣ）が使用され得、これらは、当技術分野で知られている任意の方法でプログラムされ得る。各ユニットの機能はまた、全体的にあるいは部分的に、メモリ中で具現化された命令により実施され、１つまたは複数の汎用または専用プロセッサによって実行されるようにフォーマットされ得る。
【００９８】
[0105]図１２は、本開示の様々な態様に係る、システムタイプ依存型ＭＩＢのための方法１２００を例示するフローチャートを示す。方法１２００の動作は、図１−１１に関連して説明されたように、ＵＥ１１５またはその構成要素によって実施され得る。たとえば、方法１２００の動作は、図４−７に関連して説明されたように、システムタイプ依存型ＭＩＢモジュール４１０によって実行され得る。いくつかの例では、ＵＥ１１５は、以下で説明される機能を実行するためにＵＥ１１５の機能的要素を制御するコードのセットを実行し得る。追加的または代替的に、ＵＥ１１５は、専用ハードウェアを使用して以下で説明される機能態様を実行し得る。
【００９９】
[0106]ブロック１２０５において、ＵＥ１１５は、図２−３に関連して説明されたように、キャリアの複信構成を決定し得る。特定の例では、ブロック１２０５の動作は、図５に関連して説明されたように、複信構成モジュール５０５によって実行され得る。
【０１００】
[0107]ブロック１２１０において、ＵＥ１１５は、図２−３に関連して説明されたように、キャリア上でＭＩＢを受信し得る。特定の例では、ブロック１２１０の動作は、図５に関連して説明されたように、ＭＩＢモジュール５１０によって実行され得る。
【０１０１】
[0108]ブロック１２１５において、ＵＥ１１５は、図２−３に関連して説明されたように、キャリアの複信構成に少なくとも部分的に基づいて、ＭＩＢの少なくとも１つのフィールドを解釈し得る。特定の例では、ブロック１２１５の動作は、図５に関連して説明されたように、ＭＩＢ解釈モジュール５１５によって実行され得る。
【０１０２】
[0109]図１３は、本開示の様々な態様に係る、システムタイプ依存型ＭＩＢのための方法１３００を例示するフローチャートを示す。方法１３００の動作は、図１−１１に関連して説明されたように、ＵＥ１１５またはその構成要素によって実施され得る。たとえば、方法１３００の動作は、図４−７に関連して説明されたように、システムタイプ依存型ＭＩＢモジュール４１０によって実行され得る。いくつかの例では、ＵＥ１１５は、以下で説明される機能を実行するためにＵＥ１１５の機能的要素を制御するコードのセットを実行し得る。追加的または代替的に、ＵＥ１１５は、専用ハードウェアを使用して以下で説明される機能態様を実行し得る。方法１３００はまた、図１２の方法１２００の態様を組み込み得る。
【０１０３】
[0110]ブロック１３０５において、ＵＥ１１５は、図２−３に関連して説明されたように、キャリアの複信構成を決定し得る。特定の例では、ブロック１３０５の動作は、図５に関連して説明されたように、複信構成モジュール５０５によって実行され得る。
【０１０４】
[0111]ブロック１３１０において、ＵＥ１１５は、図２−３に関連して説明されたように、仮定したスペシャルサブフレーム構成にしたがってＭＩＢが受信されるように、キャリアのＴＤＤ構成に少なくとも部分的に基づいて、スペシャルサブフレーム構成を仮定し得る。特定の例では、ブロック１３１０の動作は、図６に関連して説明されたように、スペシャルサブフレームモジュール６１０によって実行され得る。
【０１０５】
[0112]ブロック１３１５において、ＵＥ１１５は、図２−３に関連して説明されたように、キャリア上でＭＩＢを受信し得る。特定の例では、ブロック１３１５の動作は、図５に関連して説明されたように、ＭＩＢモジュール５１０によって実行され得る。
【０１０６】
[0113]ブロック１３２０において、ＵＥ１１５は、図２−３に関連して説明されたように、キャリアの複信構成に少なくとも部分的に基づいて、ＭＩＢの少なくとも１つのフィールドを解釈し得る。特定の例では、ブロック１３２０の動作は、図５に関連して説明されたように、ＭＩＢ解釈モジュール５１５によって実行され得る。
【０１０７】
[0114]ブロック１３２５において、ＵＥ１１５は、図２−３に関連して説明されたように、受信したＭＩＢに少なくとも部分的に基づいて、仮定したスペシャルサブフレーム構成を更新し得る。特定の例では、ブロック１３２５の動作は、図６に関連して説明されたように、スペシャルサブフレームモジュール６１０によって実行され得る。
【０１０８】
[0115]図１４は、本開示の様々な態様に係る、システムタイプ依存型ＭＩＢのための方法１４００を例示するフローチャートを示す。方法１４００の動作は、図１−１１に関連して説明されたように、ＵＥ１１５またはその構成要素によって実施され得る。たとえば、方法１４００の動作は、図４−７に関連して説明されたように、システムタイプ依存型ＭＩＢモジュール４１０によって実行され得る。いくつかの例では、ＵＥ１１５は、以下で説明される機能を実行するためにＵＥ１１５の機能的要素を制御するコードのセットを実行し得る。追加的または代替的に、ＵＥ１１５は、専用ハードウェアを使用して以下で説明される機能態様を実行し得る。方法１４００はまた、図１２−１３の方法１２００および１３００の態様を組み込み得る。
【０１０９】
[0116]ブロック１４０５において、ＵＥ１１５は、図２−３に関連して説明されたように、複信構成が、１つまたは複数の同期信号に少なくとも部分的に基づいて決定されるような、１つまたは複数の同期信号を受信し得る。特定の例では、ブロック１４０５の動作は、図６に関連して説明されたように、同期モジュール６２０によって実行され得る。
【０１１０】
[0117]ブロック１４１０において、ＵＥ１１５は、図２−３に関連して説明されたように、キャリアの複信構成を決定し得る。特定の例では、ブロック１４１０の動作は、図５に関連して説明されたように、複信構成モジュール５０５によって実行され得る。
【０１１１】
[0118]ブロック１４１５において、ＵＥ１１５は、図２−３に関連して説明されたように、キャリア上でＭＩＢを受信し得る。特定の例では、ブロック１４１５の動作は、図５に関連して説明されたように、ＭＩＢモジュール５１０によって実行され得る。
【０１１２】
[0119]ブロック１４２０において、ＵＥ１１５は、図２−３に関連して説明されたように、キャリアの複信構成に少なくとも部分的に基づいて、ＭＩＢの少なくとも１つのフィールドを解釈し得る。特定の例では、ブロック１４２０の動作は、図５に関連して説明されたように、ＭＩＢ解釈モジュール５１５によって実行され得る。
【０１１３】
[0120]図１５は、本開示の様々な態様に係る、システムタイプ依存型ＭＩＢのための方法１５００を例示するフローチャートを示す。方法１５００の動作は、図１−１１に関連して説明されたように、基地局１０５またはその構成要素によって実施され得る。たとえば、方法１５００の動作は、図８−１１に関連して説明されたように、基地局システムタイプ依存型ＭＩＢモジュール８１０によって実行され得る。いくつかの例では、基地局１０５は、以下で説明される機能を実行するために基地局１０５の機能的要素を制御するコードのセットを実行し得る。追加的または代替的に、基地局１０５は、専用ハードウェアを使用して以下で説明される機能態様を実行し得る。方法１５００はまた、図１２−１４の方法１２００、１３００、および１４００の態様を組み込み得る。
【０１１４】
[0121]ブロック１５０５において、基地局１０５は、図２−３に関連して説明されたように、キャリアの複信構成を識別し得る。特定の例では、ブロック１５０５の動作は、図９に関連して説明されたように、ＢＳ複信構成モジュール９０５によって実行され得る。
【０１１５】
[0122]ブロック１５１０において、基地局１０５は、図２−３に関連して説明されたように、複信構成に少なくとも部分的に基づいて、少なくとも１つのフィールドを有するＭＩＢを構成し得る。特定の例では、ブロック１５１０の動作は、図９に関連して説明されたように、ＭＩＢ構成モジュール９１０によって実行され得る。
【０１１６】
[0123]ブロック１５１５において、基地局１０５は、図２−３に関連して説明されたように、キャリア上でＭＩＢをブロードキャストし得る。特定の例では、ブロック１５１５の動作は、図８に関連して説明されたように、送信機８１５によって実行され得る。
【０１１７】
[0124]ゆえに、方法１２００、１３００、１４００、および１５００は、システムタイプ依存型ＭＩＢを提供し得る。方法１２００、１３００、１４００、および１５００が、可能な実施を説明していること、および他の実施が可能になるように動作およびステップが再配列または他の方法で修正され得ることは留意されるべきである。いくつかの例では、方法１２００、１３００、１４００、および１５００のうちの２つ以上からの態様が組み合わされ得る。
【０１１８】
[0125]本明細書の説明は、例を提供しており、特許請求の範囲に示されている範囲、適用可能性、または例を限定するものではない。本開示の範囲から逸脱することなく、記述された要素の機能および配列に変更がなされ得る。様々な例は、必要に応じて（as appropriate）、様々なプロシージャまたは構成要素を省略、代用、または追加し得る。また、いくつかの例に関して説明された特徴は、他の例では組み合わされ得る。
【０１１９】
[0126]本明細書で説明された技法は、符号分割多元接続（ＣＤＭＡ）、時分割多元接続（ＴＤＭＡ）、周波数分割多元接続（ＦＤＭＡ）、直交周波数分割多元接続（ＯＦＤＭＡ）、単一キャリア周波数分割多元接続（ＳＣ−ＦＤＭＡ）、および他のシステムのような、様々なワイヤレス通信システムに使用され得る。「システム」および「ネットワーク」という用語は、交換可能に使用されることが多い。符号分割多元接続（ＣＤＭＡ）システムは、ＣＤＭＡ２０００、ユニバーサル地上無線アクセス（ＵＴＲＡ）、等の無線技術を実施し得る。ＣＤＭＡ２０００は、ＩＳ−２０００、ＩＳ−９５、およびＩＳ−８５６規格をカバーする。ＩＳ−２０００リリース０およびＡは、通称、ＣＤＭＡ２０００ １Ｘ、１Ｘ、等と呼ばれる。ＩＳ−８５６（ＴＩＡ−８５６）は、通称、ＣＤＭＡ２０００ １ｘＥＶ−ＤＯ、高速パケットデータ（ＨＲＰＤ）、等と呼ばれる。ＵＴＲＡは、広帯域ＣＤＭＡ（ＷＣＤＭＡ（登録商標））およびＣＤＭＡの他の変形を含む。時分割多元接続（ＴＤＭＡ）システムは、モバイル通信のためのグローバルシステム（ＧＳＭ（登録商標））のような無線技術を実施し得る。ＯＦＤＭＡシステムは、ウルトラモバイルブロードバンド（ＵＭＢ）、発展型ＵＴＲＡ（Ｅ−ＵＴＲＡ）、ＩＥＥＥ８０２．１１（Ｗｉ−Ｆｉ）、ＩＥＥＥ８０２．１６（ＷｉＭＡＸ）、ＩＥＥＥ８０２．２０、フラッシュＯＦＤＭ、等、のような無線技術を実施し得る。ＵＴＲＡおよびＥ−ＵＴＲＡは、ユニバーサルモバイル電気通信システム（ＵＭＴＳ）の一部である。３ＧＰＰ（登録商標）ロングタームエボリューション（ＬＴＥ）およびＬＴＥ−アドバンスト（ＬＴＥ−ａ）は、Ｅ−ＵＴＲＡを使用する、ユニバーサルモバイル電気通信システム（ＵＭＴＳ）の新リリースである。ＵＴＲＡ、Ｅ−ＵＴＲＡ、ユニバーサルモバイル電気通信システム（ＵＭＴＳ）、ＬＴＥ、ＬＴＥ−ａ、およびモバイル通信のためのグローバルシステム（ＧＳＭ）は、「第３世代パートナーシッププロジェクト」（３ＧＰＰ）という名称の団体からの文書に説明されている。ＣＤＭＡ２０００およびＵＭＢは、「第３世代パートナーシッププロジェクト２」（３ＧＰＰ２）という名称の団体からの文書に記載されている。本明細書で説明された技法は、上で述べたシステムおよび無線技術に加え、他のシステムおよび無線技術に使用され得る。しかしながら、本明細書の説明は、例の目的でＬＴＥシステムを説明しており、上の説明の大部分ではＬＴＥの専門用語が使用されているが、本技法はＬＴＥアプリケーションを超えて適用可能である。
【０１２０】
[0127]本明細書で説明されたそのようなネットワークを含むＬＴＥ／ＬＴＥ−ａネットワークでは、発展型ノードＢ（ｅＮＢ）という用語は一般に、基地局を説明するためにされ得る。本明細書で説明された１つまたは複数のワイヤレス通信システムは、異なるタイプの発展型ノードＢ（ｅＮＢ）が様々な地理的領域にカバレッジを提供する異種ＬＴＥ／ＬＴＥ−ａネットワークを含み得る。たとえば、各ｅＮＢまたは基地局は、マクロセル、スモールセル、または他のタイプのセルに通信カバレッジを提供し得る。「セル」という用語は、コンテキストに依存して、基地局、基地局に関連付けられたキャリアまたはコンポーネントキャリア、あるいはキャリアまたは基地局のカバレッジエリア（たとえば、セクタ、等）を説明するために使用されることができる３ＧＰＰの用語である。
【０１２１】
[0128]基地局は、トランシーバ基地局、無線基地局、アクセスポイント、無線トランシーバ、ノードＢ、ｅノードＢ（ｅＮＢ）、ホームノードＢ、ホームｅノードＢ、または何らかの他の好適な用語を含み得るか、当業者によってそのように呼ばれ得る。基地局のための地理的カバレッジエリアは、カバレッジエリアの一部のみを構成するセクタに分割され得る。本明細書で説明された１つまたは複数のワイヤレス通信システムは、異なるタイプの基地局（たとえば、マクロまたはスモールセル基地局）を含み得る。本明細書で説明されたＵＥは、マクロｅＮＢ、スモールセルｅＮＢ、中継基地局、等を含む様々なタイプの基地局およびネットワーク機器と通信することが可能であり得る。異なる技術のための地理的カバレッジエリアは重複しているだろう。
【０１２２】
[0129]マクロセルは一般に、比較的広い地理的エリア（たとえば、半径数キロメートル）をカバーし、ネットワークプロバイダにサービス加入しているＵＥによる無制限アクセスを可能にし得る。スモールセルは、マクロセルと比較して、より低い電力の基地局であり、マクロセルと同じまたは異なる（たとえば、ライセンス、アンライセンス、等）周波数帯域で動作し得る。スモールセルは、様々な例にしたがって、ピコセル、フェムトセル、およびマイクロセルを含み得る。たとえば、ピコセルは、狭い地理的エリアをカバーし得、ネットワークプロバイダにサービス加入しているＵＥによる無制限アクセスを可能にし得る。フェムトセルもまた、狭い地理的エリア（たとえば、家）をカバーし得、このフェムトセルとの関連付けを有するＵＥ（たとえば、クローズド加入者グループ（ＣＳＧ）中のＵＥ、家の中にいるユーザのためのＵＥ、等）による制限付きアクセスを提供し得る。マクロセルのためのｅＮＢはマクロｅＮＢと呼ばれ得る。スモールセルのためのｅＮＢは、スモールセルｅＮＢ、ピコｅＮＢ、フェムトｅＮＢ、またはホームｅＮＢと呼ばれ得る。ｅＮＢは、１つまたは複数（たとえば、２つ、３つ、４つ、等）のセル（たとえば、コンポーネントキャリア）をサポートし得る。ＵＥは、マクロｅＮＢ、スモールセルｅＮＢ、中継基地局、等を含む様々なタイプの基地局およびネットワーク機器と通信することが可能であり得る。
【０１２３】
[0130]本明細書で説明された１つまたは複数のワイヤレス通信システムは、同期動作または非同期動作をサポートし得る。同期動作では、基地局は、同様のフレームタイミングを有し得、異なる基地局からの送信は、時間的にほぼアラインされ得る。非同期動作では、基地局は、異なるフレームタイミングを有し得、異なる基地局からの送信は、時間的にアラインされない場合がある。本明細書で説明された技法は、同期動作または非同期動作のいずれに対しても使用され得る。
【０１２４】
[0131]本明細書で説明されたダウンリンク送信は、順方向リンク送信とも称され得、アップリンク送信は、逆方向リンク送信とも称され得る。たとえば、図１および２のワイヤレス通信システム１００およびサブシステム２００を含む、本明細書で説明された各通信リンクは、１つまたは複数のキャリアを含み得、ここで、各キャリアは、複数のサブキャリア（たとえば、異なる周波数の波形信号）で構成されている信号であり得る。変調された各信号は、異なるサブキャリア上で送られ得、制御情報（たとえば、基準信号、制御チャネル、等）、オーバヘッド情報、ユーザデータ、等を搬送し得る。本明細書で説明された通信リンク（たとえば、図１の通信リンク１２５）は、（たとえば、対になっているスペクトルリソースを使用する）周波数分割複信（ＦＤＤ）または（たとえば、対になっていないスペクトルリソースを使用する）ＴＤＤ動作を使用した双方向通信を送信し得る。周波数分割複信（ＦＤＤ）に関するフレーム構造（たとえば、フレーム構造タイプ１）およびＴＤＤに関するフレーム構造（たとえば、フレーム構造タイプ２）が定義され得る。
【０１２５】
[0132]添付の図面に関して本明細書に示された説明は、例となる構成を説明しており、実施され得るまたは請求項の範囲内にあるすべての例を表すものではない。本明細書で使用されている「例示的な」という用語は、「好ましい」または「他の例よりも有利である」ではなく、「例、事例、または例示としての役目をする」を意味する。詳細な説明は、説明された技法の理解を提供することを目的として特定の詳細を含む。しかしながら、これらの技法は、これらの特定の詳細なしに実施され得る。いくつかの事例では、周知の構造およびデバイスは、説明されている例のコンセプトを暖味にしないために、ブロック図の形式で示されている。
【０１２６】
[0133]添付の図では、同様の構成要素または特徴は、同じ参照ラベルを有し得る。さらに、同じタイプの様々な構成要素は、この参照ラベルの後に続く、ダッシュと、同様の構成要素を区別する第２のラベルとによって区別され得る。本明細書で第１の参照ラベルだけが使用される場合、その説明は、第２の参照ラベルに関係なく、同じ第１の参照ラベルを有する同様の構成要素のいずれに対しても適用可能である。
【０１２７】
[0134]本明細書で説明された情報および信号は、多種多様な技術および技法のうちの任意のものを使用して表わされ得る。たとえば、上記説明の全体にわたって参照され得るデータ、命令、コマンド、情報、信号、ビット、シンボル、およびチップは、電圧、電流、電磁波、磁場または磁性粒子、光場または光粒子、あるいはこれらの任意の組み合わせによって表され得る。
【０１２８】
[0135]本明細書の開示に関連して説明された実例となる様々なブロックおよびモジュールは、汎用プロセッサ、ＤＳＰ、ＡＳＩＣ、ＦＰＧＡまたは他のプログラマブル論理デバイス、ディスクリートゲートまたはトランジスタ論理、ディスクリートハードウェア構成要素、あるいは本明細書で説明された機能を実行するように設計されたそれらの任意の組み合わせを用いて実施または実行され得る。汎用プロセッサは、マイクロプロセッサであり得るが、代替的に、プロセッサは、任意の従来のプロセッサ、コントローラ、マイクロコントローラ、またはステートマシンであり得る。プロセッサはまた、コンピューティングデバイスの組み合わせ（たとえば、デジタルシグナルプロセッサ（ＤＳＬ）と、１つのマイクロプロセッサ、複数のマイクロプロセッサ、ＤＳＰコアに連結した１つまたは複数のマイクロプロセッサ、あるいは任意の他のそのような構成との組み合わせ）として実施され得る。
【０１２９】
[0136]本明細書で説明された機能は、ハードウェア、プロセッサによって実行されるソフトウェア、ファームウェア、またはそれらの任意の組み合わせで実施され得る。プロセッサによって実行されるソフトウェアで実施される場合、これらの機能は、コンピュータ読取可能な媒体上で、１つまたは複数の命令またはコードとして送信または記憶され得る。他の例および実施は、本開示および添付の特許請求の範囲内である。たとえば、ソフトウェアの性質に起因して、上述された機能は、プロセッサによって実行されるソフトウェア、ハードウェア、ファームウェア、ハード配線、またはこれらのうちの任意のものの組み合わせを使用して実施されることができる。特徴を実施する機能はまた、機能の一部分が異なる物理的ロケーションで実施されるように分散されていることを含めて、様々な位置に物理的に位置し得る。また、特許請求の範囲を含めて、本明細書で使用される場合、項目のリスト（たとえば、「〜のうちの少なくとも１つ」または「〜のうちの１つまたは複数」のようなフレーズで始まる項目のリスト）中で使用される「または／あるいは／もしくは」は、たとえば、「Ａ、Ｂ、またはＣのうちの少なくとも１つ」のリストが、Ａ、Ｂ、Ｃ、ＡとＢ、ＡとＣ、ＢとＣ、またはＡとＢとＣ（すなわち、Ａ、Ｂ、およびＣ）を意味するような、包括的なリストを示す。
【０１３０】
[0137]コンピュータ読取可能な媒体は、ある箇所から別の箇所へのコンピュータプログラムの移送を容易にする任意の媒体を含む通信媒体および非一時的なコンピュータ記憶媒体の両方を含む。非一時的な記憶媒体は、汎用または専用コンピュータによってアクセスされることができる任意の入手可能な媒体であり得る。限定ではなく例として、非一時的なコンピュータ読取可能な媒体は、ＲＡＭ、ＲＯＭ、電気的消去可能プログラマブル読取専用メモリ（ＥＥＰＲＯＭ（登録商標））、コンパクトディスク（ＣＤ）ＲＯＭまたは他の光ディスク記憶装置、磁気ディスク記憶装置または他の磁気記憶デバイス、あるいはデータ構造または命令の形式で所望のプログラムコード手段を記憶または搬送するために使用されることができ、汎用もしくは専用コンピュータまたは汎用もしくは専用プロセッサによってアクセスされることができる任意の他の非一時的な媒体を備えることができる。また、任意の接続は厳密にはコンピュータ読取可能な媒体と称され得る。たとえば、ソフトウェアが、同軸ケーブル、光ファイバーケーブル、ツイストペア、デジタル加入者回線（ＤＳＬ）、または赤外線、電波、およびマイクロ波のようなワイヤレス技術を使用して、ウェブサイト、サーバ、または他のリモートソースから送信される場合、この同軸ケーブル、光ファイバーケーブル、ツイストペア、デジタル加入者回線（ＤＳＬ）、または赤外線、電波、およびマイクロ波のようなワイヤレス技術は、媒体の定義に含まれる。ディスク（disk）およびディスク（disc）は、本明細書で使用される場合、ＣＤ、レーザーディスク（登録商標）、光ディスク、デジタル多用途ディスク（ＤＶＤ）、フロッピー（登録商標）ディスク、およびBlu-ray（登録商標）ディスクを含み、ディスク（disk）は、通常磁気的にデータを再生し、ディスク（disc）は、レーザーを用いて光学的にデータを再生する。上記の組み合わせもまた、コンピュータ読取可能な媒体の範囲内に含まれる。
【０１３１】
[0138]本明細書の説明は、当業者が本開示を実行または使用することを可能にするために提供される。本開示に対する様々な修正は、当業者には容易に明らかであり、本明細書で定義された包括的な原理は、本開示の範囲から逸脱することなく他の変形に適用され得る。ゆえに、本開示は、本明細書で説明された例および設計に制限されることを意図せず、本明細書で開示された原理および新規な特徴に合致する最も広い範囲が与えられるべきである。
以下に本願の出願当初の特許請求の範囲に記載された発明を付記する。
［Ｃ１］  ワイヤレス通信の方法であって、
キャリアの複信構成を決定することと、
前記キャリア上でマスタ情報ブロック（ＭＩＢ）を受信することと、
前記キャリアの前記複信構成に少なくとも部分的に基づいて、前記ＭＩＢの少なくとも１つのフィールドを解釈することと
を備える方法。
［Ｃ２］  前記複信構成は、時分割複信（ＴＤＤ）構成、周波数分割複信（ＦＤＤ）、またはアンライセンススペクトル構成のうちの１つを備える、Ｃ１に記載の方法。
［Ｃ３］  前記ＭＩＢの前記少なくとも１つのフィールドは、スペシャルサブフレーム構成を備える、Ｃ２に記載の方法。
［Ｃ４］  前記スペシャルサブフレーム構成は、低減されたダウンリンクパイロットタイムスロット（ＤｗＰＴＳ）セットを備える、Ｃ３に記載の方法。
［Ｃ５］  前記ＭＩＢの前記少なくとも１つのフィールドは、システム情報ブロック（ＳＩＢ）ロケーションフィールドを示すインジケーションまたは前記ＳＩＢロケーションフィールドの反復の数を示すインジケーションのうちの１つを備える、Ｃ１に記載の方法。
［Ｃ６］  前記ＳＩＢロケーションフィールドは、ＳＩＢ１についての１つまたは複数のダウンリンク（ＤＬ）サブフレームオプションを示す、Ｃ５に記載の方法。
［Ｃ７］  前記キャリアの前記ＴＤＤ構成に少なくとも部分的に基づいて、スペシャルサブフレーム構成を仮定すること、ここにおいて、前記ＭＩＢは、前記仮定したスペシャルサブフレーム構成にしたがって受信される、
をさらに備える、Ｃ２に記載の方法。
［Ｃ８］  前記仮定したスペシャルサブフレーム構成は、１１シンボルのダウンリンクパイロットタイムスロット（ＤｗＰＴＳ）、９シンボルのＤｗＰＴＳ、１シンボルのガード期間、２シンボルのアップリンクパイロットタイムスロット（ＵｐＰＴＳ）、またはそれらの任意の組み合わせを備える、
Ｃ７に記載の方法。
［Ｃ９］  前記受信したＭＩＢに少なくとも部分的に基づいて、前記仮定したスペシャルサブフレーム構成を更新すること
をさらに備える、Ｃ７に記載の方法。
［Ｃ１０］  １つまたは複数の同期信号を受信すること、ここにおいて、前記複信構成は、前記１つまたは複数の同期信号に少なくとも部分的に基づいて決定される、
をさらに備える、Ｃ１に記載の方法。
［Ｃ１１］  前記ＭＩＢの前記少なくとも１つのフィールドは、複信構成固有フィールドを備える、Ｃ１に記載の方法。
［Ｃ１２］  ワイヤレス通信の方法であって、
キャリアの複信構成を識別することと、
前記複信構成に少なくとも部分的に基づいて、少なくとも１つのフィールドを有するＭＩＢを構成することと、
前記キャリア上で前記ＭＩＢをブロードキャストすることと
を備える方法。
［Ｃ１３］  前記複信構成に少なくとも部分的に基づいて、１つまたは複数の同期信号を送信すること
をさらに備える、Ｃ１２に記載の方法。
［Ｃ１４］  前記複信構成は、時分割複信（ＴＤＤ）構成、周波数分割複信（ＦＤＤ）構成、またはアンライセンススペクトル構成のうちの１つを備える、Ｃ１２に記載の方法。
［Ｃ１５］  前記ＭＩＢの前記少なくとも１つのフィールドは、スペシャルサブフレーム構成を備える、Ｃ１４に記載の方法。
［Ｃ１６］  前記ＭＩＢの前記少なくとも１つのフィールドは、システム情報ブロック（ＳＩＢ）ロケーションフィールドを示すインジケーションまたは前記ＳＩＢロケーションフィールドの反復の数を示すインジケーションのうちの１つを備える、Ｃ１４に記載の方法。
［Ｃ１７］  ワイヤレス通信のための装置であって、
キャリアの複信構成を決定するための手段と、
前記キャリア上でマスタ情報ブロック（ＭＩＢ）を受信するための手段と、
前記キャリアの前記複信構成に少なくとも部分的に基づいて、前記ＭＩＢの少なくとも１つのフィールドを解釈するための手段と
を備える装置。
［Ｃ１８］  前記複信構成は、時分割複信（ＴＤＤ）構成、周波数分割複信（ＦＤＤ）構成、またはアンライセンススペクトル構成のうちの１つを備える、Ｃ１７に記載の装置。
［Ｃ１９］  前記ＭＩＢの前記少なくとも１つのフィールドは、スペシャルサブフレーム構成を備える、Ｃ１８に記載の装置。
［Ｃ２０］  前記スペシャルサブフレーム構成は、低減されたダウンリンクパイロットタイムスロット（ＤｗＰＴＳ）セットを備える、Ｃ１９に記載の装置。
［Ｃ２１］  前記ＭＩＢの前記少なくとも１つのフィールドは、システム情報ブロック（ＳＩＢ）ロケーションフィールドを示すインジケーションまたは前記ＳＩＢロケーションフィールドの反復の数を示すインジケーションのうちの１つを備える、Ｃ１８に記載の装置。
［Ｃ２２］  前記ＳＩＢロケーションフィールドは、ＳＩＢ１についての１つまたは複数のダウンリンク（ＤＬ）サブフレームオプションを示す、Ｃ２１に記載の装置。
［Ｃ２３］  前記キャリアの前記ＴＤＤ構成に少なくとも部分的に基づいて、スペシャルサブフレーム構成を仮定するための手段、ここにおいて、前記ＭＩＢは、前記仮定したスペシャルサブフレーム構成にしたがって受信される、
をさらに備える、Ｃ１８に記載の装置。
［Ｃ２４］  前記仮定したスペシャルサブフレーム構成は、１１シンボルのダウンリンクパイロットタイムスロット（ＤｗＰＴＳ）、９シンボルのＤｗＰＴＳ、１シンボルのガード期間、２シンボルのアップリンクパイロットタイムスロット（ＵｐＰＴＳ）、またはそれらの任意の組み合わせを備える、
Ｃ２３に記載の装置。
［Ｃ２５］  前記受信したＭＩＢに少なくとも部分的に基づいて、前記仮定したスペシャルサブフレーム構成を更新するための手段
をさらに備える、Ｃ２３に記載の装置。
［Ｃ２６］  １つまたは複数の同期信号を受信するための手段、ここにおいて、前記複信構成は、前記１つまたは複数の同期信号に少なくとも部分的に基づいて決定される、
をさらに備える、Ｃ１７に記載の装置。
［Ｃ２７］  前記ＭＩＢの前記少なくとも１つのフィールドは、複信構成固有フィールドを備える、Ｃ１７に記載の装置。
［Ｃ２８］  ワイヤレス通信のための装置であって、
キャリアの複信構成を識別するための手段と、
前記複信構成に少なくとも部分的に基づいて、少なくとも１つのフィールドを有するＭＩＢを構成するための手段と、
前記キャリア上で前記ＭＩＢをブロードキャストするための手段と
を備える装置。
［Ｃ２９］  前記複信構成に少なくとも部分的に基づいて、１つまたは複数の同期信号を送信するための手段
をさらに備える、Ｃ２８に記載の装置。
［Ｃ３０］  前記複信構成は、時分割複信（ＴＤＤ）構成、周波数分割複信（ＦＤＤ）構成、またはアンライセンススペクトル構成のうちの１つを備える、Ｃ２８に記載の装置。
［Ｃ３１］  前記ＭＩＢの前記少なくとも１つのフィールドは、スペシャルサブフレーム構成を備える、Ｃ３０に記載の装置。
［Ｃ３２］  前記ＭＩＢの前記少なくとも１つのフィールドは、システム情報ブロック（ＳＩＢ）ロケーションフィールドを示すインジケーションまたは前記ＳＩＢロケーションフィールドの反復の数を示すインジケーションのうちの１つを備える、Ｃ３０に記載の装置。
［Ｃ３３］  ワイヤレス通信のための装置であって、
プロセッサと、
前記プロセッサと電子通信状態にあるメモリと、
前記メモリに記憶されている命令と
を備え、前記命令は、前記プロセッサによって実行されると、
キャリアの複信構成を決定することと、
前記キャリア上でマスタ情報ブロック（ＭＩＢ）を受信することと、
前記キャリアの前記複信構成に少なくとも部分的に基づいて、前記ＭＩＢの少なくとも１つのフィールドを解釈することと
を前記装置に行わせるように動作可能である、
装置。
［Ｃ３４］  前記複信構成は、時分割複信（ＴＤＤ）構成、周波数分割複信（ＦＤＤ）構成、またはアンライセンススペクトル構成のうちの１つを備える、Ｃ３３に記載の装置。
［Ｃ３５］  前記ＭＩＢの前記少なくとも１つのフィールドは、スペシャルサブフレーム構成を備える、Ｃ３４に記載の装置。
［Ｃ３６］  前記スペシャルサブフレーム構成は、低減されたダウンリンクパイロットタイムスロット（ＤｗＰＴＳ）セットを備える、Ｃ３５に記載の装置。
［Ｃ３７］  前記ＭＩＢの前記少なくとも１つのフィールドは、システム情報ブロック（ＳＩＢ）ロケーションフィールドを示すインジケーションまたは前記ＳＩＢロケーションフィールドの反復の数を示すインジケーションのうちの１つを備える、Ｃ３４に記載の装置。
［Ｃ３８］  前記ＳＩＢロケーションフィールドは、ＳＩＢ１についての１つまたは複数のダウンリンク（ＤＬ）サブフレームオプションを示す、Ｃ３７に記載の装置。
［Ｃ３９］  前記命令は、
前記キャリアの前記ＴＤＤ構成に少なくとも部分的に基づいて、スペシャルサブフレーム構成を仮定させる、ここにおいて、前記ＭＩＢは、前記仮定したスペシャルサブフレーム構成にしたがって受信される、
ように動作可能である、Ｃ３４に記載の装置。
［Ｃ４０］  前記仮定したスペシャルサブフレーム構成は、１１シンボルのダウンリンクパイロットタイムスロット（ＤｗＰＴＳ）、９シンボルのＤｗＰＴＳ、１シンボルのガード期間、２シンボルのアップリンクパイロットタイムスロット（ＵｐＰＴＳ）、またはそれらの任意の組み合わせを備える、
Ｃ３９に記載の装置。
［Ｃ４１］  前記命令は、
前記受信したＭＩＢに少なくとも部分的に基づいて、前記仮定したスペシャルサブフレーム構成を更新させる
ように動作可能である、Ｃ３９に記載の装置。
［Ｃ４２］  前記命令は、
１つまたは複数の同期信号を受信させる、ここにおいて、前記複信構成は、前記１つまたは複数の同期信号に少なくとも部分的に基づいて決定される、
ように動作可能である、Ｃ３３に記載の装置。
［Ｃ４３］  前記ＭＩＢの前記少なくとも１つのフィールドは、複信構成固有フィールドを備える、Ｃ３３に記載の装置。
［Ｃ４４］  ワイヤレス通信のための装置であって、
プロセッサと、
前記プロセッサと電子通信状態にあるメモリと、
前記メモリに記憶されている命令と
を備え、前記命令は、前記プロセッサによって実行されると、
キャリアの複信構成を識別することと、
前記複信構成に少なくとも部分的に基づいて、少なくとも１つのフィールドを有するＭＩＢを構成することと、
前記キャリア上で前記ＭＩＢをブロードキャストすることと
を前記装置に行わせるように動作可能である
装置。
［Ｃ４５］  前記命令は、
前記複信構成に少なくとも部分的に基づいて、１つまたは複数の同期信号を送信させる  ように動作可能である、Ｃ４４に記載の装置。
［Ｃ４６］  前記複信構成は、時分割複信（ＴＤＤ）構成、周波数分割複信構成（ＦＤＤ）、またはアンライセンススペクトル構成のうちの１つを備える、Ｃ４４に記載の装置。
［Ｃ４７］  前記ＭＩＢの前記少なくとも１つのフィールドは、スペシャルサブフレーム構成を備える、Ｃ４６に記載の装置。
［Ｃ４８］  前記ＭＩＢの前記少なくとも１つのフィールドは、システム情報ブロック（ＳＩＢ）ロケーションフィールドを示すインジケーションまたは前記ＳＩＢロケーションフィールドの反復の数を示すインジケーションのうちの１つを備える、Ｃ４６に記載の装置。
［Ｃ４９］  ワイヤレス通信のためのコードを記憶する非一時的なコンピュータ読取可能な媒体であって、前記コードは、
キャリアの複信構成を決定することと、
前記キャリア上でマスタ情報ブロック（ＭＩＢ）を受信することと、
前記キャリアの前記複信構成に少なくとも部分的に基づいて、前記ＭＩＢの少なくとも１つのフィールドを解釈することと
を行うように実行可能な命令を備える、非一時的なコンピュータ読取可能な媒体。
［Ｃ５０］  前記複信構成は、時分割複信（ＴＤＤ）構成、周波数分割複信（ＦＤＤ）構成、またはアンライセンススペクトル構成のうちの１つを備える、Ｃ４９に記載の非一時的なコンピュータ読取可能な媒体。
［Ｃ５１］  前記ＭＩＢの前記少なくとも１つのフィールドは、スペシャルサブフレーム構成を備える、Ｃ５０に記載の非一時的なコンピュータ読取可能な媒体。
［Ｃ５２］  前記スペシャルサブフレーム構成は、低減されたダウンリンクパイロットタイムスロット（ＤｗＰＴＳ）セットを備える、Ｃ５１に記載の非一時的なコンピュータ読取可能な媒体。
［Ｃ５３］  前記ＭＩＢの前記少なくとも１つのフィールドは、システム情報ブロック（ＳＩＢ）ロケーションフィールドを示すインジケーションまたは前記ＳＩＢロケーションフィールドの反復の数を示すインジケーションのうちの１つを備える、Ｃ５０に記載の非一時的なコンピュータ読取可能な媒体。
［Ｃ５４］  前記ＳＩＢロケーションフィールドは、ＳＩＢ１についての１つまたは複数のダウンリンク（ＤＬ）サブフレームオプションを示す、Ｃ５３に記載の非一時的なコンピュータ読取可能な媒体。
［Ｃ５５］  前記命令は、
前記キャリアの前記ＴＤＤ構成に少なくとも部分的に基づいて、スペシャルサブフレーム構成を仮定すること、ここにおいて、前記ＭＩＢは、前記仮定したスペシャルサブフレーム構成にしたがって受信される、
を行うように実行可能である、Ｃ５０に記載の非一時的なコンピュータ読取可能な媒体。
［Ｃ５６］  前記仮定したスペシャルサブフレーム構成は、１１シンボルのダウンリンクパイロットタイムスロット（ＤｗＰＴＳ）、９シンボルのＤｗＰＴＳ、１シンボルのガード期間、２シンボルのアップリンクパイロットタイムスロット（ＵｐＰＴＳ）、またはそれらの任意の組み合わせを備える、
Ｃ５５に記載の非一時的なコンピュータ読取可能な媒体。
［Ｃ５７］  前記命令は、
前記受信したＭＩＢに少なくとも部分的に基づいて、前記仮定したスペシャルサブフレーム構成を更新すること
を行うように実行可能である、Ｃ５５に記載の非一時的なコンピュータ読取可能な媒体。
［Ｃ５８］  前記命令は、
１つまたは複数の同期信号を受信すること、ここにおいて、前記複信構成は、前記１つまたは複数の同期信号に少なくとも部分的に基づいて決定される、
を行うように実行可能である、Ｃ４９に記載の非一時的なコンピュータ読取可能な媒体。
［Ｃ５９］  前記ＭＩＢの前記少なくとも１つのフィールドは、複信構成固有フィールドを備える、Ｃ４９に記載の非一時的なコンピュータ読取可能な媒体。
［Ｃ６０］  ワイヤレス通信のためのコードを記憶する非一時的なコンピュータ読取可能な媒体であって、前記コードは、
キャリアの複信構成を識別することと、
前記複信構成に少なくとも部分的に基づいて、少なくとも１つのフィールドを有するＭＩＢを構成することと、
前記キャリア上で前記ＭＩＢをブロードキャストすることと
を行うように実行可能な命令を備える、非一時的なコンピュータ読取可能な媒体。
［Ｃ６１］  前記命令は、
前記複信構成に少なくとも部分的に基づいて、１つまたは複数の同期信号を送信すること
を行うように実行可能である、Ｃ６０に記載の非一時的なコンピュータ読取可能な媒体。
［Ｃ６２］  前記複信構成は、時分割複信（ＴＤＤ）構成、周波数分割複信（ＦＤＤ）構成、またはアンライセンススペクトル構成を備える、Ｃ６０に記載の非一時的なコンピュータ読取可能な媒体。
［Ｃ６３］  前記ＭＩＢの前記少なくとも１つのフィールドは、スペシャルサブフレーム構成を備える、Ｃ６２に記載の非一時的なコンピュータ読取可能な媒体。
［Ｃ６４］  前記ＭＩＢの前記少なくとも１つのフィールドは、ＳＩＢロケーションフィールドを示すインジケーションまたは前記ＳＩＢロケーションフィールドの反復の数を示すインジケーションのうちの１つを備える、Ｃ６２に記載の非一時的なコンピュータ読取可能な媒体。
【図１】
0006704936.tif 000002
【図２】
0006704936.tif 000003
【図３】
0006704936.tif 000004
【図４】
0006704936.tif 000005
【図５】
0006704936.tif 000006
【図６】
0006704936.tif 000007
【図７】
0006704936.tif 000008
【図８】
0006704936.tif 000009
【図９】
0006704936.tif 000010
【図１０】
0006704936.tif 000011
【図１１】
0006704936.tif 000012
【図１２】
0006704936.tif 000013
【図１３】
0006704936.tif 000014
【図１４】
0006704936.tif 000015
【図１５】
0006704936.tif 000016